(57)【要約】【課題】フレーム期間に含まれるサブフィールド期間の個数を多くすることなく、表示可能な階調数を増加させる。【解決手段】画素を備え、表示期間において画素が表示する階調を制御する電気光学装置の駆動方法であって、表示期間を等しい時間長の複数の単位期間に区分し、複数の単位期間の各々を第１及び第２サブフィールド期間に区分し、一の単位期間における第１サブフィールド期間の開始時刻から一の単位期間に後続する他の単位期間における前記第１サブフィールド期間の開始時刻までの時間長を単位期間の時間長と等しくし、一の単位期間における第２サブフィールド期間の開始時刻から他の単位期間における第２サブフィールド期間の開始時刻までの時間長を単位期間の時間長よりも長くし、表示期間に含まれる複数のサブフィールド期間の各々において、画素に対して当該画素のオンまたはオフを指定するデータ信号を供給して画素をオンまたはオフさせる。【選択図】図３
2015004735.tif 000002
【特許請求の範囲】
【請求項１】
画素を備え、表示期間において前記画素が表示すべき階調を制御する電気光学装置の駆動方法であって、
前記表示期間を、互いに等しい時間長を有する複数の単位期間に区分し、
前記複数の単位期間のうち一部または全部の単位期間のそれぞれを、第１サブフィールド期間及び第２サブフィールド期間を含む、所定数のサブフィールド期間に区分し、
前記表示期間に含まれる前記複数の単位期間のうち、前記所定数のサブフィールド期間を含む一の単位期間と、前記一の単位期間に後続し前記所定数のサブフィールド期間を含む他の単位期間と、において、
前記一の単位期間における前記第１サブフィールド期間の開始時刻から、前記他の単位期間における前記第１サブフィールド期間の開始時刻までの時間長を、前記単位期間の時間長と等しくし、
前記一の単位期間における前記第２サブフィールド期間の開始時刻から、前記他の単位期間における前記第２サブフィールド期間の開始時刻までの時間長を、前記単位期間の時間長よりも長くし、
前記表示期間に含まれる複数の前記サブフィールド期間の各々において、
前記画素に対して、当該画素のオンまたはオフを指定するデータ信号を供給して、前記画素をオンまたはオフすることにより、前記表示期間における前記画素が表示する階調を制御する、
ことを特徴とする電気光学装置の駆動方法。
【請求項２】
画素を備え、表示期間において前記画素が表示すべき階調を制御する電気光学装置の駆動方法であって、
前記表示期間を、互いに等しい時間長を有する複数の単位期間に区分し、
前記複数の単位期間のうち一部または全部の単位期間のそれぞれを、Ｐ個（Ｐは１以上の自然数）の第１サブフィールド期間と、Ｑ個（Ｑは１以上の自然数）の第２サブフィールド期間を含む、所定数のサブフィールド期間に区分し、
前記表示期間に含まれる前記複数の単位期間のうち、前記所定数のサブフィールド期間を含む一の単位期間と、前記一の単位期間に後続し前記所定数のサブフィールド期間を含む他の単位期間と、において、
前記一の単位期間における第ｐ番目（ｐは１≦ｐ≦Ｐを満たす自然数）の前記第１サブフィールド期間の開始時刻から、前記他の単位期間における第ｐ番目の前記第１サブフィールド期間の開始時刻までの時間長を、前記単位期間の時間長と等しくし、
前記一の単位期間における第ｑ番目（ｑは１≦ｑ≦Ｑを満たす自然数）の前記第２サブフィールド期間の開始時刻から、前記他の単位期間における第ｒ番目の前記第２サブフィールド期間の開始時刻までの時間長を、前記単位期間の時間長よりも長くし、
前記表示期間に含まれる複数の前記サブフィールド期間の各々において、
前記画素に対して、当該画素のオンまたはオフを指定するデータ信号を供給して、前記画素をオンまたはオフすることにより、前記表示期間における前記画素が表示する階調を制御する、
ことを特徴とする電気光学装置の駆動方法。
【請求項３】
前記表示期間を、第１制御期間と、前記第１制御期間と等しい時間長を有し前記第１制御期間に後続する第２制御期間と、に区分し、
前記表示期間に含まれる複数の前記サブフィールド期間の各々が、前記第１制御期間と前記第２制御期間とを区分する時刻である区分時刻を境界として、時間軸上で対称となるように、前記表示期間に含まれる前記複数の単位期間のうち一部または全部の単位期間のそれぞれを、前記所定数のサブフィールド期間に区分する、
ことを特徴とする請求項１または２に記載の電気光学装置の駆動方法。
【請求項４】
前記表示期間に含まれる前記複数の単位期間から最後の単位期間及び最初の単位期間の少なくとも一方を除いた期間である中間期間において、
前記中間期間に含まれる複数の前記単位期間の一部または全部の単位期間のそれぞれを、前記所定数のサブフィールド期間に区分し、
前記最後の単位期間及び前記最初の単位期間の少なくとも一方には、前記第２サブフィールド期間を設けない、
ことを特徴とする請求項１または２に記載の電気光学装置の駆動方法。
【請求項５】
前記表示期間に含まれる前記複数の単位期間から最後の単位期間及び最初の単位期間の少なくとも一方を除いた期間である中間期間において、
前記中間期間に含まれる複数の前記単位期間の一部または全部の単位期間のそれぞれを、前記所定数のサブフィールド期間に区分し、
前記表示期間に含まれる前記複数の単位期間のうち、前記所定数のサブフィールド期間を有する単位期間以外の単位期間を、前記Ｑ個の前記第１サブフィールド期間に区分する、
ことを特徴とする請求項２に記載の電気光学装置の駆動方法。
【請求項６】
前記表示期間を、第１制御期間と、前記第１制御期間と等しい時間長を有し前記第１制御期間に後続する第２制御期間と、に区分し、
前記中間期間に含まれる複数の前記サブフィールド期間の各々が、前記第１制御期間と前記第２制御期間とを区分する時刻である区分時刻を境界として、時間軸上で対称となるように、前記中間期間に含まれる複数の前記単位期間のうち一部または全部の単位期間のそれぞれを、前記所定数のサブフィールド期間に区分する、
ことを特徴とする請求項５に記載の電気光学装置の駆動方法。
【請求項７】
前記第１制御期間における前記データ信号と、前記第２制御期間における前記データ信号とが、基準電位を中心として反転した極性の信号となるように、前記データ信号を生成する、
ことを特徴とする請求項３または６に記載の電気光学装置の駆動方法。
【請求項８】
前記表示期間に含まれる複数の前記サブフィールド期間のうち、前記区分時刻を境界として時間軸上で対称となる２つの前記サブフィールド期間において、
一方のサブフィールド期間における前記データ信号の示す値と、他方のサブフィールド期間における前記データ信号の示す値とは、前記基準電位を中心して等しい大きさを有する、
ことを特徴とする請求項７に記載の電気光学装置の駆動方法。
【請求項９】
一の表示期間と、前記一の表示時間の次に開始される他の表示期間との間に、１または複数の前記単位期間からなるリセット期間を設け、
前記リセット期間において、
前記画素に対して、前記データ信号として所定のリセット電位を供給する、
ことを特徴とする請求項１乃至８のうち何れか１項に記載の電気光学装置の駆動方法。
【請求項１０】
前記リセット期間に含まれる各単位期間には、
前記第２サブフィールド期間を設けない、
ことを特徴とする請求項９に記載の電気光学装置の駆動方法。
【請求項１１】
前記電気光学装置は、
左眼用シャッターと右目用シャッターとを含む立体使用眼鏡を備え、
当該立体使用眼鏡により立体視される左眼用画像と右目用画像とを前記表示期間毎に交互に表示可能であり、
前記左眼用画像を表示する表示期間において、
前記右眼用シャッターを閉状態に制御し、
前記左眼用画像を表示する表示期間の少なくとも一部を含む期間において、
前記左眼用シャッターを開状態に制御し、
前記右眼用画像を表示する表示期間において、
前記左眼用シャッターを閉状態に制御し、
前記右眼用画像を表示する表示期間の少なくとも一部を含む期間において、
前記右眼用シャッターを開状態に制御する、
ことを特徴とする請求項１乃至１０のうち何れか１項に記載の電気光学装置の駆動方法。
【請求項１２】
画素と、
表示期間において前記画素が表示すべき階調を制御する制御駆動部と、
を備える電気光学装置であって、
前記制御駆動部は、
前記表示期間を、互いに等しい時間長を有する複数の単位期間に区分し、
前記複数の単位期間のうちの一部または全部の単位期間のそれぞれを、第１サブフィールド期間及び第２サブフィールド期間を含む、所定数のサブフィールド期間に区分し、
前記表示期間に含まれる前記複数の単位期間のうち、前記所定数のサブフィールド期間を含む一の単位期間と、前記一の単位期間に後続し前記所定数のサブフィールド期間を含む他の単位期間と、において、
前記一の単位期間における前記第１サブフィールド期間の開始時刻から、前記他の単位期間における前記第１サブフィールド期間の開始時刻までの時間長を、前記単位期間の時間長と等しくし、
前記一の単位期間における前記第２サブフィールド期間の開始時刻から、前記他の単位期間における前記第２サブフィールド期間の開始時刻までの時間長を、前記単位期間の時間長よりも長くし、
前記表示期間に含まれる複数の前記サブフィールド期間の各々において、
前記画素に対して、当該画素のオンまたはオフを指定するデータ信号を供給して、前記画素をオンまたはオフすることにより、前記表示期間における前記画素が表示する階調を制御する、
ことを特徴とする電気光学装置。
【請求項１３】
請求項１２に記載の電気光学装置を具備する電子機器。
【発明の詳細な説明】
【技術分野】
【０００１】
本発明は、電気光学装置、電気光学装置の駆動方法、及び、電子機器に関する。
【背景技術】
【０００２】
液晶素子や有機ＥＬ（Electro-Luminescence）素子などの電気光学素子を用いて画像を表示させる電気光学装置において、電気光学装置の動作期間の一単位であるフレーム期間を分割した複数のサブフィールド期間毎に、電気光学素子をオン状態またはオフ状態のいずれか一方で駆動するとともに、オン状態またはオフ状態で駆動する時間の割合を変化させることによって中間階調を表現する技術が提案されている（特許文献１参照）。
【先行技術文献】
【特許文献】
【０００３】
【特許文献１】特開２００３−１１４６６１号公報
【発明の概要】
【発明が解決しようとする課題】
【０００４】
表示可能な階調数を増加させるには、フレーム期間に含まれるサブフィールド期間の個数を多くする必要がある。しかし、フレーム期間に含まれるサブフィールド期間の個数を多くする場合、各サブフィールド期間の時間長が短くなり、各電気光学素子に対してオン状態またはオフ状態で駆動することを指定するデータ信号の書込時間も短くなる。この場合、各電気光学素子に対して、前記データ信号を供給するための駆動回路の駆動能力を高める必要があり、当該駆動回路の構成の複雑化や、電気光学装置の製造コストの高コスト化等といった問題が生じることがある。特に、電気光学装置が立体視画像を表示させる場合、各フレーム期間において左目用画像及び右目用画像の双方を時分割で表示させることが必要となるため、上述した問題がさらに顕著になることが多い。
【０００５】
本発明は、上述した事情に鑑みてなされたもので、その目的の一つは、電気光学素子をサブフィールド毎にオンまたはオフ状態で駆動する技術において、フレーム期間に含まれるサブフィールド期間の個数を多くすることなく、表示可能な階調数を増加させることが可能な技術を提供することにある。
【課題を解決するための手段】
【０００６】
以上の課題を解決するために、本発明に係る電気光学装置の駆動方法は、画素を備え、表示期間において前記画素が表示すべき階調を制御する電気光学装置の駆動方法であって、前記表示期間を、互いに等しい時間長を有する複数の単位期間に区分し、前記複数の単位期間のうち一部または全部の単位期間のそれぞれを、第１サブフィールド期間及び第２サブフィールド期間を含む、所定数のサブフィールド期間に区分し、前記表示期間に含まれる前記複数の単位期間のうち、前記所定数のサブフィールド期間を含む一の単位期間と、前記一の単位期間に後続し前記所定数のサブフィールド期間を含む他の単位期間と、において、前記一の単位期間における前記第１サブフィールド期間の開始時刻から、前記他の単位期間における前記第１サブフィールド期間の開始時刻までの時間長を、前記単位期間の時間長と等しくし、前記一の単位期間における前記第２サブフィールド期間の開始時刻から、前記他の単位期間における前記第２サブフィールド期間の開始時刻までの時間長を、前記単位期間の時間長よりも長くし、前記表示期間に含まれる複数の前記サブフィールド期間の各々において、前記画素に対して、当該画素のオンまたはオフを指定するデータ信号を供給して、前記画素をオンまたはオフすることにより、前記表示期間における前記画素が表示する階調を制御する、ことを特徴とする。
【０００７】
この発明によれば、単位期間毎に、第１サブフィールド期間の時間長と第２サブフィールド期間の時間長とが異なる時間長となるように複数のサブフィールド期間を設けることができる。表示期間に含まれる複数のサブフィールド期間毎に、画素をオンまたはオフすることで、表示期間における画素の階調を制御するサブフィールド駆動において、画素がオンしている１または複数のサブフィールド期間の時間長の合計長に基づいて、画素の階調が定められる。従って、サブフィールド期間の時間長が、表示期間に含まれる複数の単位期間のそれぞれにおいて全て同一の時間長である場合と比較して、画素が表示できる階調の種類が多くなり、より多くの階調を表示することができる。このため、表示期間に含まれるサブフィールド期間の個数を多くすることなく、画素が表示できる階調の種類を多くすることができる。
【０００８】
なお、この発明において、画素がオンすることを指定するデータ信号の値は、サブフィールド期間毎に異なる可変値であっても構わない。また、この発明において、第１サブフィールド期間を、当該第１サブフィールド期間を含む単位期間と同時に開始させてもよい。また、この発明において、画素は、例えば液晶素子を含むものでも良く、発光素子を含むものでも良い。
【０００９】
また、本発明に係る電気光学装置の駆動方法は、画素を備え、表示期間において前記画素が表示すべき階調を制御する電気光学装置の駆動方法であって、前記表示期間を、互いに等しい時間長を有する複数の単位期間に区分し、前記複数の単位期間のうち一部または全部の単位期間のそれぞれを、Ｐ個（Ｐは１以上の自然数）の第１サブフィールド期間と、Ｑ個（Ｑは１以上の自然数）の第２サブフィールド期間を含む、所定数のサブフィールド期間に区分し、前記表示期間に含まれる前記複数の単位期間のうち、前記所定数のサブフィールド期間を含む一の単位期間と、前記一の単位期間に後続し前記所定数のサブフィールド期間を含む他の単位期間と、において、前記一の単位期間における第ｐ番目（ｐは１≦ｐ≦Ｐを満たす自然数）の前記第１サブフィールド期間の開始時刻から、前記他の単位期間における第ｐ番目の前記第１サブフィールド期間の開始時刻までの時間長を、前記単位期間の時間長と等しくし、前記一の単位期間における第ｑ番目（ｑは１≦ｑ≦Ｑを満たす自然数）の前記第２サブフィールド期間の開始時刻から、前記他の単位期間における第ｒ番目の前記第２サブフィールド期間の開始時刻までの時間長を、前記単位期間の時間長よりも長くし、前記表示期間に含まれる複数の前記サブフィールド期間の各々において、前記画素に対して、当該画素のオンまたはオフを指定するデータ信号を供給して、前記画素をオンまたはオフすることにより、前記表示期間における前記画素が表示する階調を制御する、ことを特徴とする。
【００１０】
この発明において、画素がオンすることを指定するデータ信号の値は、サブフィールド期間毎に異なる可変値であっても構わない。また、この発明において、第１サブフィールド期間を、当該第１サブフィールド期間を含む単位期間と同時に開始させてもよい。また、この発明において、画素は、例えば液晶素子を含むものでも良く、発光素子を含むものでも良い。
【００１１】
また、上述した電気光学装置の駆動方法は、前記表示期間を、第１制御期間と、前記第１制御期間と等しい時間長を有し前記第１制御期間に後続する第２制御期間と、に区分し、
前記表示期間に含まれる複数の前記サブフィールド期間の各々が、前記第１制御期間と前記第２制御期間とを区分する時刻である区分時刻を境界として、時間軸上で対称となるように、前記表示期間に含まれる前記複数の単位期間のうち一部または全部の単位期間のそれぞれを、前記所定数のサブフィールド期間に区分する、ことを特徴とするものであってもよい。
【００１２】
この態様によれば、第１制御期間において画素に供給するデータ信号と、第２制御期間において画素に供給するデータ信号とを逆極性とすることにより、表示期間において、画素が正極性のデータ信号を保持している時間長と、負極性のデータ信号を保持している時間長と、を均等化することができる。これにより、画素に対する直流電圧の印加を抑制することができ、例えば、画素が液晶素子を備える場合において、所謂「焼き付き」の発生を防止し、液晶素子の劣化を最小限に留めることが可能となる。
【００１３】
また、上述した電気光学装置の駆動方法は、前記表示期間に含まれる前記複数の単位期間から最後の単位期間及び最初の単位期間の少なくとも一方を除いた期間である中間期間において、前記中間期間に含まれる複数の前記単位期間の一部または全部の単位期間のそれぞれを、前記所定数のサブフィールド期間に区分し、前記最後の単位期間及び前記最初の単位期間の少なくとも一方には、前記第２サブフィールド期間を設けない、ことを特徴とするものであってもよい。
【００１４】
また、上述した電気光学装置の駆動方法は、前記表示期間に含まれる前記複数の単位期間から最後の単位期間及び最初の単位期間の少なくとも一方を除いた期間である中間期間において、前記中間期間に含まれる複数の前記単位期間の一部または全部の単位期間のそれぞれを、前記所定数のサブフィールド期間に区分し、前記表示期間に含まれる前記複数の単位期間のうち、前記所定数のサブフィールド期間を有する単位期間以外の単位期間を、
前記Ｑ個の前記第１サブフィールド期間に区分する、ことを特徴とするものであってもよい。
【００１５】
また、上述した電気光学装置の駆動方法は、前記表示期間を、第１制御期間と、前記第１制御期間と等しい時間長を有し前記第１制御期間に後続する第２制御期間と、に区分し、前記中間期間に含まれる複数の前記サブフィールド期間の各々が、前記第１制御期間と前記第２制御期間とを区分する時刻である区分時刻を境界として、時間軸上で対称となるように、前記中間期間に含まれる複数の前記単位期間のうち一部または全部の単位期間のそれぞれを、前記所定数のサブフィールド期間に区分する、ことを特徴とするものであってもよい。
【００１６】
また、上述した電気光学装置の駆動方法は、前記第１制御期間における前記データ信号と、前記第２制御期間における前記データ信号とが、基準電位を中心として反転した極性の信号となるように、前記データ信号を生成する、ことを特徴とするものであってもよい。
【００１７】
また、上述した電気光学装置の駆動方法は、前記表示期間に含まれる複数の前記サブフィールド期間のうち、前記区分時刻を境界として時間軸上で対称となる２つの前記サブフィールド期間において、一方のサブフィールド期間における前記データ信号の示す値と、他方のサブフィールド期間における前記データ信号の示す値とは、前記基準電位を中心して等しい大きさを有する、ことを特徴とするものであってもよい。
【００１８】
また、上述した電気光学装置の駆動方法は、一の表示期間と、前記一の表示時間の次に開始される他の表示期間との間に、１または複数の前記単位期間からなるリセット期間を設け、前記リセット期間において、前記画素に対して、前記データ信号として所定のリセット電位を供給する、ことを特徴とするものであってもよい。
【００１９】
また、上述した電気光学装置の駆動方法において、前記リセット期間に含まれる各単位期間には、前記第２サブフィールド期間を設けない、ことを特徴とするものであってもよい。
【００２０】
また、上述した電気光学装置の駆動方法において、前記電気光学装置は、左眼用シャッターと右目用シャッターとを含む立体使用眼鏡を備え、当該立体使用眼鏡により立体視される左眼用画像と右目用画像とを前記表示期間毎に交互に表示可能であり、前記左眼用画像を表示する表示期間において、前記右眼用シャッターを閉状態に制御し、前記左眼用画像を表示する表示期間の少なくとも一部を含む期間において、前記左眼用シャッターを開状態に制御し、前記右眼用画像を表示する表示期間において、前記左眼用シャッターを閉状態に制御し、前記右眼用画像を表示する表示期間の少なくとも一部を含む期間において、前記右眼用シャッターを開状態に制御する、ことを特徴とするものであってもよい。
【００２１】
また、本発明に係る電気光学装置は、画素と、表示期間において前記画素が表示すべき階調を制御する制御駆動部と、を備える電気光学装置であって、前記制御駆動部は、前記表示期間を、互いに等しい時間長を有する複数の単位期間に区分し、前記複数の単位期間のうちの一部または全部の単位期間のそれぞれを、第１サブフィールド期間及び第２サブフィールド期間を含む、所定数のサブフィールド期間に区分し、前記表示期間に含まれる前記複数の単位期間のうち、前記所定数のサブフィールド期間を含む一の単位期間と、前記一の単位期間に後続し前記所定数のサブフィールド期間を含む他の単位期間と、において、前記一の単位期間における前記第１サブフィールド期間の開始時刻から、前記他の単位期間における前記第１サブフィールド期間の開始時刻までの時間長を、前記単位期間の時間長と等しくし、前記一の単位期間における前記第２サブフィールド期間の開始時刻から、前記他の単位期間における前記第２サブフィールド期間の開始時刻までの時間長を、前記単位期間の時間長よりも長くし、前記表示期間に含まれる複数の前記サブフィールド期間の各々において、前記画素に対して、当該画素のオンまたはオフを指定するデータ信号を供給して、前記画素をオンまたはオフすることにより、前記表示期間における前記画素が表示する階調を制御する、ことを特徴とする。
【００２２】
この発明において、画素がオンすることを指定するデータ信号の値は、サブフィールド期間毎に異なる可変値であっても構わない。また、この発明において、第１サブフィールド期間を、当該第１サブフィールド期間を含む単位期間と同時に開始させてもよい。また、この発明において、画素は、例えば液晶素子を含むものでも良く、発光素子を含むものでも良い。
【００２３】
また、本発明に係る電子機器は、上述した電気光学装置を備えることを特徴とする。このような電子機器として、カーナビゲーション装置、パーソナルコンピュータ、テレビ、投射型表示装置、及び、携帯電話等が該当する。
【図面の簡単な説明】
【００２４】
【図１】本発明の第１実施形態に係る電気光学装置のブロック図である。
【図２】画素回路の回路図である。
【図３】画素の動作期間を説明するための説明図である。
【図４】ＳＦコードを説明するための説明図である。
【図５】電気光学装置の動作を説明するためのタイミングチャートである。
【図６】電気光学装置の動作を説明するためのタイミングチャートである。
【図７】電気光学装置の動作を説明するためのタイミングチャートである。
【図８】本発明の第２実施形態に係る画素の動作期間を説明するための説明図である。
【図９】電気光学装置の動作を説明するためのタイミングチャートである。
【図１０】本発明の変形例１に係る電気光学装置の動作を説明するためのタイミングチャートである。
【図１１】本発明の変形例２に係る画素の動作期間を説明するための説明図である。
【図１２】電気光学装置の動作を説明するためのタイミングチャートである。
【図１３】本発明の変形例３に係る電気光学装置の動作を説明するためのタイミングチャートである。
【図１４】電気光学装置の動作を説明するためのタイミングチャートである。
【図１５】本発明の変形例５に係る画素の動作期間を説明するための説明図である。
【図１６】本発明の変形例６に係る画素の動作期間を説明するための説明図である。
【図１７】本発明の変形例７に係る電気光学装置の動作を説明するためのタイミングチャートである。
【図１８】電子機器（投射型表示装置）の斜視図である。
【図１９】電子機器（パーソナルコンピュータ）の斜視図である。
【図２０】電子機器（携帯電話機）の斜視図である。
【図２１】対比例に係る画素の動作を説明するための説明図である。
【発明を実施するための形態】
【００２５】
以下、本発明を実施するための形態について図面を参照して説明する。ただし、各図において、各部の寸法及び縮尺は、実際のものと適宜に異ならせてある。また、以下に述べる実施の形態は、本発明の好適な具体例であるから、技術的に好ましい種々の限定が付されているが、本発明の範囲は、以下の説明において特に本発明を限定する旨の記載がない限り、これらの形態に限られるものではない。
【００２６】
＜Ａ．第１実施形態＞
図１は、本発明の第１実施形態に係る電気光学装置１のブロック図である。電気光学装置１は、相互に視差が付与された右目用画像及び左目用画像を時分割で交互に表示することで、立体視画像を表示する。また、本実施形態において、電気光学装置１は、サブフィールド駆動により、これら右目用画像及び左目用画像を表示する。
【００２７】
電気光学装置１は、電気光学パネル１０、制御部５０、及び、立体視用眼鏡６０を備える。
電気光学パネル１０は、複数の画素Ｐｘが配列された表示部３０と、各画素Ｐｘを駆動する駆動回路２０と、を備える。この電気光学パネル１０には、右目用画像と左目用画像とが、時分割で交互に表示される。なお、以下では、駆動回路２０及び制御部５０を制御駆動部１００と総称する場合がある。
【００２８】
図１に示すように、表示部３０には、ｘ方向に延在するＭ本の走査線３２と、ｘ方向に交差するｙ方向に延在するＮ本のデータ線３４とが形成される（Ｍ及びＮは自然数）。複数の画素Ｐｘは、表示部３０において、走査線３２とデータ線３４との各交差に対応して縦Ｍ行×横Ｎ列の行列状に配列される。なお、本実施形態において、画素Ｐｘは、Ｍ本の走査線３２及びＮ本のデータ線３４によるＭ×Ｎ個の交差の全てに配置されるが、これらＭ×Ｎ個の交差のうち一部に配置されるものであっても構わない。
【００２９】
駆動回路２０は、各画素Ｐｘの表示する階調を指定するデータ信号ＶＤ[ｎ]（ｎ＝１〜Ｎ）を、各画素Ｐｘに対応して設けられる画素回路４０に対して供給する回路であり、走査線駆動回路２２とデータ線駆動回路２４とを具備する。
走査線駆動回路２２は、各走査線３２に対応する走査信号Ｙ[１]〜Ｙ[Ｍ]を各走査線３２に対して供給することで各走査線３２を順次に選択する。具体的には、走査信号Ｙ[ｍ]（ｍ＝１〜Ｍ）が所定の選択電位に設定される（すなわち第ｍ行の走査線３２が選択される）ことで第ｍ行の走査線３２が選択される。
データ線駆動回路２４は、走査線駆動回路２２による走査線３２の選択に同期してＮ本のデータ線３４の各々にデータ信号ＶＤ[１]〜ＶＤ[Ｎ］を供給する。データ信号ＶＤ[ｎ]（ｎ＝１〜Ｎ）は、後述する入力画像データＤinが各画素Ｐｘに対して指定する階調に応じて可変に設定される。
【００３０】
図２は、各画素Ｐｘに対応して設けられる画素回路４０の回路図である。図２に示すように、各画素回路４０は、液晶素子ＣＬ、選択スイッチＳｗ、及び、容量Ｃｏを含む。
液晶素子ＣＬは、画素電極４１、共通電極４２、並びに、画素電極４１及び共通電極４２の間に設けられた液晶４３を具備する電気光学素子である。画素電極４１と共通電極４２との間の印加電圧に応じて液晶４３の透過率（表示階調）が変化する。共通電極４２は、一定の電位Ｖcomに設定されている。容量Ｃｏは、一端が画素電極４１に電気的に接続され、他端が一定の電圧に保たれた容量線３６に電気的に接続される。また、共通電極４２も、容量線３６に電気的に接続される。
選択スイッチＳｗは、例えば、Ｎチャネル型のトランジスターであり、画素電極４１とデータ線３４との間に設けられ、両者の電気的な接続（導通／絶縁）を制御する。具体的には、Ｎチャネル型のトランジスターである選択スイッチＳｗのゲートは走査線３２と電気的に接続され、走査信号Ｙ[ｍ]が選択電位に設定されると、第ｍ行の画素回路４０に設けられた選択スイッチＳｗがオン状態となる。そして、選択スイッチＳｗがオン状態となると、当該画素回路４０に、データ線３４からデータ信号ＶＤ[ｎ]が供給され、液晶素子ＣＬには当該データ信号ＶＤ[ｎ]に応じた電圧が印加される。これにより、当該画素回路４０の液晶素子ＣＬは、データ信号ＶＤ[ｎ]に応じた透過率に設定され、当該画素回路４０に対応する画素Ｐｘは、データ信号ＶＤ[ｎ]に応じた階調を表示する。
画素回路４０の液晶素子ＣＬにデータ信号ＶＤ[ｎ]に応じた電圧が印加された後、選択スイッチＳｗがオフ状態となると、データ信号ＶＤ[ｎ]は容量Ｃｏにより保持される。そのため、各画素Ｐｘは、選択スイッチＳｗがオン状態となった後から、次にオン状態となるまでの期間において、データ信号ＶＤ[ｎ]に応じた階調を表示する。
【００３１】
説明を図１に戻す。図１に示すように、制御部５０は、表示制御回路５１、眼鏡制御回路５２、及び、ＬＵＴ（Look Up Table）５３を備える。
表示制御回路５１には、図示省略した上位装置から、入力画像データＤinが、同期信号に同期して供給される。
ここで、入力画像データＤinとは、各画素Ｐｘで表示すべき階調を指定するデータである。本実施形態では、入力画像データＤinは、各画素Ｐｘで表示すべき階調を「０」から「２５５」までの２５６段階（つまり、８ビット）で規定するデジタルデータである。
また、同期信号とは、例えば、垂直同期信号Ｖsnc、水平同期信号、及び、ドットクロック信号等を含む信号である。
【００３２】
表示制御回路５１は、上位装置から供給される同期信号に基づいて、電気光学パネル１０の動作を制御するための信号である制御信号Ｃtrを生成し、生成した制御信号Ｃtrを駆動回路２０に供給する。
ここで、制御信号Ｃtrとは、例えば、垂直同期信号Ｖsnc、Ｙ入力パルス信号Ｄyin、第１リセット信号Ｖrst1、第２リセット信号Ｖrst2、Ｙクロック信号Ｃly、イネーブル信号、及び、ドットクロック信号等を含む信号である。これら各種信号についての詳細は後述する。
ＬＵＴ５３は、入力画像データＤinが各画素Ｐｘに対して指定する階調と、サブフィールドコード（ＳＦコード）Ｃｄと、を対応付けて記憶する。なお、ＳＦコードＣｄについては、後述する。
表示制御回路５１は、入力画像データＤinに対応するＳＦコードＣｄをＬＵＴ５３から取得し、取得したＳＦコードＣｄに基づいて画像データＤｘを生成したうえで、生成した画像データＤｘをデータ線駆動回路２４に対して供給する。なお、本実施形態では、画像データＤｘは、デジタルの信号であるが、アナログの信号であってもよい。
【００３３】
眼鏡制御回路５２は、表示制御回路５１が生成した制御信号Ｃtrに基づいて、立体視用眼鏡６０の動作を制御するための信号である眼鏡制御信号を生成し、これを立体視用眼鏡６０に対して供給する。
立体視用眼鏡６０は、電気光学パネル１０が表示する立体視画像の視認時に観察者が装着する眼鏡型の器具であり、観察者の左眼の前方に位置する左眼用シャッター６２と右眼の前方に位置する右眼用シャッター６４とを具備する。左眼用シャッター６２および右眼用シャッター６４の各々は、眼鏡制御回路５２から供給される眼鏡制御信号に基づいて、照射光を透過させる開状態（透過状態）と照射光を遮断する閉状態（遮光状態）とに制御される。例えば印加電圧に応じて液晶の配向方向を変化させることで開状態および閉状態の一方から他方に変化する液晶シャッターが左眼用シャッター６２および右眼用シャッター６４として採用され得る。
【００３４】
図３は、電気光学装置１が備える各画素Ｐｘ（画素回路４０）の動作期間を説明するための説明図である。
図３に示すように、各画素Ｐｘの動作期間は複数のフレーム期間Ｆからなる。フレーム期間Ｆとは、画素Ｐｘ毎に定められる期間である。より具体的には、フレーム期間Ｆとは、電気光学装置１が一の左眼用画像と一の右眼用画像とからなる一の立体視画像を表示する場合に、各画素Ｐｘが当該一の立体視画像に対応する階調（つまり、一の左眼用画像に対応する階調、及び、一の右眼用画像に対応する階調）を表示するために必要な期間である。
例えば、電気光学装置１が、１秒間に６０個の立体視画像を表示する場合、フレーム期間Ｆは約１６．６７ミリ秒となる。
【００３５】
図３に示すように、各フレーム期間Ｆは、リセット期間Ｒ１、左眼用画像の表示期間Ｔ１（以下、単に「表示期間Ｔ１」と称する）、リセット期間Ｒ２、及び、右眼用画像の表示期間Ｔ２（以下、単に「表示期間Ｔ２」と称する）に区分される。リセット期間Ｒ１は、フレーム期間Ｆの開始と同時に開始される期間であり、表示期間Ｔ１は、リセット期間Ｒ１に後続する期間であり、リセット期間Ｒ２は、表示期間Ｔ１に後続する期間であり、表示期間Ｔ２は、リセット期間Ｒ２に後続しフレーム期間Ｆと同時に終了する期間である。本実施形態において、リセット期間Ｒ１、表示期間Ｔ１、リセット期間Ｒ２、及び、表示期間Ｔ２は、互いに等しい時間長を有する。なお、以下では、表示期間Ｔ１及び表示期間Ｔ２を「表示期間Ｔ」と総称し、リセット期間Ｒ１及びリセット期間Ｒ２を「リセット期間Ｒ」と総称する場合がある。
画素Ｐｘは、表示期間Ｔ１において、電気光学装置１が表示部３０に表示させる左眼用画像に対応する階調を表示し、表示期間Ｔ２において、電気光学装置１が表示部３０に表示させる右眼用画像に対応する階調を表示する。
【００３６】
図３に示すように、各表示期間Ｔ及び各リセット期間Ｒは、互いに等しい時間長を有する８個の単位期間Ｕ（単位期間Ｕ［１］〜Ｕ［８］）に区分される。単位期間Ｕとは、走査線駆動回路２２が、第１行の走査線３２の選択を開始してから、第１行〜第Ｍ行のＭ本の走査線３２を選択して次に再び第１行の走査線３２の選択を開始するまでの期間と等しい時間長を有する期間である。
【００３７】
また、各表示期間Ｔは、第１制御期間Ｃ１と、第２制御期間Ｃ２とに区分される。第１制御期間Ｃ１は、単位期間Ｕ［１］〜Ｕ［４］からなる期間であり、第２制御期間Ｃ２は、単位期間Ｕ［４］〜Ｕ［８］からなる期間である。第１制御期間Ｃ１及び第２制御期間Ｃ２は、互いに等しい時間長を有する。なお、以下では、第１制御期間Ｃ１及び第２制御期間Ｃ２を区分する時刻を、「区分時刻Ｔｃ」と称する。
【００３８】
さらに、各表示期間Ｔにおいて、各単位期間Ｕ［ｚ］は、第１サブフィールド期間ＳＡ［ｚ］と、第２サブフィールド期間ＳＢ［ｚ］とに区分される（ｚは、１≦ｚ≦８を満たす自然数）。
ここで、第１サブフィールド期間ＳＡ［ｚ］とは、単位期間Ｕ［ｚ］と等しい時間長の周期で、定期的に開始される期間である。つまり、αを、１≦α≦７を満たす自然数としたときに、第１サブフィールド期間ＳＡ［α］の開始時刻から、第１サブフィールド期間ＳＡ［α＋１］の開始時刻までの時間長は、単位期間Ｕ［ｚ］の時間長と等しい。
一方、第２サブフィールド期間ＳＢ［ｚ］とは、単位期間Ｕ［ｚ］とは異なる時間長の間隔で開始される期間である。本実施形態では、第２サブフィールド期間ＳＢ［ｚ］が開始される時間間隔は、単位期間Ｕ［ｚ］の時間長よりも長い。すなわち、本実施形態において、第２サブフィールド期間ＳＢ［α］の開始時刻から、第２サブフィールド期間ＳＢ［α＋１］の開始時刻までの時間長は、単位期間Ｕ［ｚ］の時間長に比べて長い。
各単位期間Ｕ［ｚ］において、第１サブフィールド期間ＳＡ［ｚ］と、第２サブフィールド期間ＳＢ［ｚ］とは、互いに異なる時間長を有するように設けられる。
【００３９】
なお、以下では、第１サブフィールド期間ＳＡ、及び、第２サブフィールド期間ＳＢを、サブフィールド期間Ｓと総称することがある。すなわち、各画素Ｐｘの動作期間に含まれる各表示期間Ｔは、８個の第１サブフィールド期間ＳＡ［１］〜ＳＡ［８］と、８個の第２サブフィールド期間ＳＢ［１］〜ＳＢ［８］と、からなる、１６個のサブフィールド期間Ｓに区分される。
以下、本実施形態における、サブフィールド期間Ｓの詳細について説明する。
【００４０】
図３に示すように、本実施形態において、第１サブフィールド期間ＳＡ［ｚ］は、単位期間Ｕ［ｚ］と同時に開始される。また、第２サブフィールド期間ＳＢ［ｚ］は、第１サブフィールド期間ＳＡ［ｚ］の終了と同時に開始され、且つ、単位期間Ｕ［ｚ］の終了と同時に終了する。
また、第１サブフィールド期間ＳＡ［１］〜ＳＡ［８］は、それぞれが互いに異なる時間長を有し、且つ、第２サブフィールド期間ＳＢ［１］〜ＳＢ［８］は、それぞれが互いに異なる時間長を有する。より具体的には、第１サブフィールド期間ＳＡ［ｚ］の時間長をΔＳＡ［ｚ］で表し、第２サブフィールド期間ＳＢ［ｚ］の時間長をΔＳＢ［ｚ］で表すとき、各表示期間Ｔの１６個のサブフィールド期間Ｓは、以下の式（１）及び式（２）により示される条件を充足するように設けられる。
ΔＳＡ［α］＜ΔＳＡ［α＋１］    ……  式（１）
ΔＳＢ［α］＞ΔＳＢ［α＋１］    ……  式（２）
【００４１】
また、本実施形態では、各表示期間Ｔに含まれる１６個のサブフィールド期間Ｓ（ＳＡ［１］〜ＳＡ［８］、及び、ＳＢ［１］〜ＳＢ［８］）が、区分時刻Ｔｃを境界として時間軸上で対称となるように設けられる。より具体的には、βを０≦β≦３を満たす自然数としたときに、各表示期間Ｔは、以下の式（３）及び式（４）により示される条件を充足するように、１６個のサブフィールド期間Ｓに区分される。
ΔＳＡ［４−β］＝ΔＳＢ［５＋β］    ……  式（３）
ΔＳＢ［４−β］＝ΔＳＡ［５＋β］    ……  式（４）
【００４２】
換言すれば、各表示期間Ｔにおいて、第１制御期間Ｃ１に含まれる第１サブフィールド期間ＳＡ［４−β］の開始時刻と、第２制御期間Ｃ２に含まれる第２サブフィールド期間ＳＢ［５＋β］の終了時刻が、区分時刻Ｔｃを境界として時間軸上で対称となり、且つ、第１制御期間Ｃ１に含まれる第２サブフィールド期間ＳＢ［４−β］の開始時刻と、第２制御期間Ｃ２に含まれる第１サブフィールド期間ＳＡ［５＋β］の終了時刻が、区分時刻Ｔｃを境界として時間軸上で対称となるように、１６個のサブフィールド期間Ｓが設けられる。
【００４３】
なお、各画素Ｐｘの動作期間に含まれる各リセット期間Ｒは、８個の第１サブフィールド期間ＳＡ［１］〜ＳＡ［８］からなる、８個のサブフィールド期間Ｓに区分される。
すなわち、各リセット期間Ｒにおいて、各単位期間Ｕ［ｚ］は、第１サブフィールド期間ＳＡ［ｚ］のみを有し、第２サブフィールド期間ＳＢ［ｚ］を含まない。つまり、各リセット期間Ｒにおいて、単位期間Ｕ［ｚ］は、第１サブフィールド期間ＳＡ［ｚ］と一致する。
【００４４】
データ線駆動回路２４は、各画素Ｐｘに対して、各表示期間Ｔに含まれる１６個のサブフィールド期間Ｓの各々が開始されるタイミングにおいて、データ信号ＶＤ[ｎ]を供給する。
本実施形態における、データ信号ＶＤ[ｎ]は、画素Ｐｘのオンまたはオフを指定する信号である。具体的には、データ信号ＶＤ[ｎ]は、画素Ｐｘにオンを指定する場合には、当該画素Ｐｘが最大階調を表示するような電位（つまり、当該画素Ｐｘが備える液晶素子ＣＬの透過率が最大値となるような電位）に設定される。また、データ信号ＶＤ[ｎ]は、画素Ｐｘにオフを指定する場合には、当該画素Ｐｘが最小階調を表示するような電位（つまり、当該画素Ｐｘが備える液晶素子ＣＬの透過率が最小値となるような電位）に設定される。
上述のとおり、本実施形態に係る電気光学装置１は、サブフィールド駆動により、右目用画像及び左目用画像を表示する。すなわち、電気光学装置１は、表示期間Ｔに含まれる１６個のサブフィールド期間Ｓの各々において、画素Ｐｘをオンまたはオフすることにより、当該表示期間Ｔにおいて画素Ｐｘがオンしている時間長を制御し、これにより、当該表示期間Ｔにおいて画素Ｐｘが表示する階調を制御する。
【００４５】
データ線駆動回路２４は、表示期間Ｔにおいて各画素Ｐｘに対して供給するデータ信号ＶＤ[ｎ]を、表示制御回路５１から供給される画像データＤｘに基づいて生成する。上述のとおり、表示制御回路５１は、入力画像データＤinに対応するＳＦコードＣｄをＬＵＴ５３から取得し、取得したＳＦコードＣｄに基づいて画像データＤｘを生成する。
【００４６】
図４は、ＬＵＴ５３の記憶内容の一例を示す図である。ＬＵＴ５３は、入力画像データＤinが各画素Ｐｘに対して指定可能な２５６種類の階調「０」〜「２５５」と、これら２５６種類の階調と１対１に対応する２５６個のＳＦコードＣｄ（Ｃｄ［０］〜Ｃｄ［２５５］）と、を対応付けて記憶する。
各ＳＦコードＣｄは、表示期間Ｔに含まれる１６個のサブフィールド期間Ｓのそれぞれについて、画素Ｐｘをオンさせることを指定する値「１」または画素Ｐｘをオフさせることを指定する値「０」のいずれかの値が設定された、１６ビットのデータである。例えば、図４に示すＳＦコードＣｄ［２］は、表示期間Ｔのうち、サブフィールド期間ＳＡ［２］及びＳＢ［７］において画素Ｐｘをオンさせることを指定し、当該表示期間Ｔのうち残りの１４個のサブフィールド期間Ｓにおいて画素Ｐｘをオフさせることを指定することを表している。
ＳＦコードＣｄは、原則として、表示期間Ｔにおいて画素Ｐｘが表示すべき階調のレベルが高くなるに従って、当該表示期間Ｔにおいて画素Ｐｘがオンする時間長が長くなるように、各サブフィールド期間Ｓにおける画素Ｐｘのオンまたはオフを指定する内容となる。
【００４７】
表示制御回路５１は、ＬＵＴ５３を参照し、入力画像データＤinに対応するＳＦコードＣｄを取得する。これにより、表示制御回路５１は、表示期間Ｔにおいて画素Ｐｘに入力画像データＤinが指定する階調を表示させる場合に、当該表示期間Ｔに含まれる１６個のサブフィールド期間Ｓのそれぞれにおいて、画素Ｐｘに対してオンまたはオフのいずれの状態を指定すべきかを、ＳＦコードＣｄに基づいて決定することができる。
そして、表示制御回路５１は、ＳＦコードＣｄが、各サブフィールド期間Ｓについて、画素Ｐｘをオンさせることを指定する値「１」を示す場合には、画素Ｐｘに最大階調を指定するデータ信号ＶＤ[ｎ]に対応する画像データＤｘを生成し、画素Ｐｘをオフさせることを指定する値「０」を示す場合には、画素Ｐｘに最小階調を指定するデータ信号ＶＤ[ｎ]に対応する画像データＤｘを生成する。
【００４８】
本実施形態では、画素Ｐｘは液晶素子ＣＬを備え、液晶素子ＣＬの透過率を制御することにより、画素Ｐｘの表示する階調を制御する。
一般的に、液晶素子ＣＬは、ＤＭＬ（Digital Micromirror Device）等の電気光学素子に比べて応答速度が遅い。そのため、例えば、表示期間Ｔの第１サブフィールド期間ＳＡ［１］、ＳＡ［２］、及び、ＳＡ［３］の時間長について、仮に「ΔＳＡ［１］＋ΔＳＡ［２］＝ΔＳＡ［３］」という関係が成立する場合であっても、第１サブフィールド期間ＳＡ［１］及びＳＡ［２］において画素Ｐｘをオンさせる場合は、第１サブフィールド期間ＳＡ［３］において画素Ｐｘをオンさせる場合と比べて、画素Ｐｘが表示する階調のレベルは低くなる（暗くなる）。つまり、表示期間Ｔのうち画素Ｐｘがオンしている期間の合計の時間長が同一であっても、離散的な複数のサブフィールド期間Ｓにおいて画素Ｐｘがオンする場合には、連続的な一のサブフィールド期間Ｓにおいて画素Ｐｘがオンする場合と比較して、表示期間Ｔにおいて画素Ｐｘの表示する階調のレベルは低くなる。
そのため、本実施形態における、ＳＦコードＣｄ、及び、各サブフィールド期間Ｓの時間長は、このような液晶素子ＣＬの応答速度をも考慮して定められている。
【００４９】
データ線駆動回路２４は、図３及び図４に示すように、各表示期間Ｔの第１制御期間Ｃ１において、所定の基準電位Ｖrefに対して高電位となる正極性のデータ信号ＶＤ[ｎ]を、画素Ｐｘに供給し、各表示期間Ｔの第２制御期間Ｃ２において、所定の基準電位Ｖrefに対して低電位となる負極性のデータ信号ＶＤ[ｎ]を、画素Ｐｘに供給する。
ＳＦコードＣｄの示す値は、図４に示すように、区分時刻Ｔｃを境界として対称となるように設定されている。すなわち、βを０≦β≦３を満たす自然数としたときに、表示期間Ｔの第１サブフィールド期間ＳＡ［４−β］において画素Ｐｘに供給されるデータ信号ＶＤ[ｎ]の電位と、当該表示期間Ｔの第２サブフィールド期間ＳＢ［５＋β］において画素Ｐｘに供給されるデータ信号ＶＤ[ｎ]の電位とは、所定の基準電位Ｖrefを境界として対称（つまり、等しい大きさを有する逆極性の値）となる。同様に、表示期間Ｔの第１サブフィールド期間ＳＡ［５＋β］において画素Ｐｘに供給されるデータ信号ＶＤ[ｎ]の電位と、当該表示期間Ｔの第２サブフィールド期間ＳＢ［４−β］において画素Ｐｘに供給されるデータ信号ＶＤ[ｎ]の電位とは、所定の基準電位Ｖrefを境界として対称となる。
このため、本実施形態では、表示期間Ｔ（１６個のサブフィールド期間Ｓ）において画素Ｐｘに供給されるデータ信号ＶＤ[ｎ]の積分値は、理想的には基準電位Ｖrefとなる。よって、基準電位Ｖrefの値を適切に定める（例えば、電位Ｖcomと等しい電位）ことで、画素Ｐｘに対して直流電圧が印加されることを抑制することが可能となる。
【００５０】
なお、データ線駆動回路２４は、各画素Ｐｘに対して、各リセット期間Ｒに含まれる８個のサブフィールド期間Ｓの各々が開始されるタイミングにおいて、画素Ｐｘのオフを指定するデータ信号ＶＤ[ｎ]を供給する。
ここで、リセット期間Ｒにおいて画素Ｐｘに供給される、画素Ｐｘのオフを指定するデータ信号ＶＤ[ｎ]は、上述のとおり、画素Ｐｘに最小階調を表示することを指定する電位の信号であるが、所定のリセット電位の信号であればよい。
【００５１】
図５乃至図７は、電気光学装置１の動作期間と、各画素Ｐｘの動作期間とを説明するためのタイミングチャートである。
本実施形態では、上述した画素Ｐｘの動作期間とは別に、電気光学装置１の動作期間を定義する。画素Ｐｘの動作期間（上述したフレーム期間Ｆ、単位期間Ｕ、表示期間Ｔ等）は、走査線駆動回路２２による走査線３２の選択を契機として各行の画素Ｐｘ毎に開始される期間であり、画素Ｐｘの位置する行毎に異なるタイミングで開始される期間である。これに対して、電気光学装置１の動作期間は、電気光学装置１の全体として一意に定義される期間である。
以下、図５乃至図７を参照しつつ、電気光学装置１の動作期間と、画素Ｐｘの動作期間との関係について説明する。
【００５２】
図５は、電気光学装置１の動作を説明するためのタイミングチャートである。図５（Ａ）に示すように、電気光学装置１の動作期間は、複数の基準フレーム期間ＢＦに区分される。
基準フレーム期間ＢＦは、同期信号に含まれる垂直同期信号Ｖsncがハイレベルになるタイミングから次にハイレベルになるタイミングまでの期間であり、各画素Ｐｘのフレーム期間Ｆと同一の時間長を有する。この基準フレーム期間ＢＦは、電気光学装置１が、一の左眼用画像と一の右眼用画像とからなる一の立体視画像を表示するための期間である。
【００５３】
各基準フレーム期間ＢＦは、基準リセット期間ＢＲ１、基準表示期間ＢＴ１、基準リセット期間ＢＲ２、及び、基準表示期間ＢＴ２からなる互いに等しい時間長を有する４つの期間に区分される。以下では、基準リセット期間ＢＲ１及びＢＲ２を、基準リセット期間ＢＲと総称し、基準表示期間ＢＴ１及びＢＴ２を、基準表示期間ＢＴと総称する場合がある。
基準リセット期間ＢＲ及び基準表示期間ＢＴのそれぞれは、制御信号Ｃtrに含まれる第１リセット信号Ｖrst1がハイレベルになるタイミングから次にハイレベルになるまでの期間であり、各画素Ｐｘのリセット期間Ｒ及び表示期間Ｔと同一の時間長を有する。
【００５４】
図５（Ｂ）に示すように、基準表示期間ＢＴ及び基準リセット期間ＢＲのそれぞれは、基準単位期間ＢＵ［１］〜ＢＵ［８］からなる、互いに等しい時間長を有する８個の基準単位期間ＢＵに区分される。基準単位期間ＢＵのそれぞれは、制御信号Ｃtrに含まれる第２リセット信号Ｖrst2がハイレベルになるタイミングから次にハイレベルになるまでの期間であり、各画素Ｐｘの単位期間Ｕと同一の時間長を有する。
【００５５】
図５（Ｂ）及び（Ｃ）に示すように、制御信号Ｃtrに含まれるＹ入力パルス信号Ｄyinは、各基準単位期間ＢＵ［ｚ］が開始されるタイミング（つまり、第２リセット信号Ｖrst2がハイレベルになるタイミング）にハイレベルに立ち上がる第１入力パルスＤＡ［ｚ］と、第１入力パルスＤＡ［ｚ］がローレベルに立ち下がった後であって、次の基準単位期間ＢＵが開始されるまでの間にハイレベルに立ち上がる第２入力パルスＤＢ［ｚ］と、を含む信号である。第１入力パルスＤＡ［ｚ］がハイレベルに立ち上がるタイミングから、第２入力パルスＤＢ［ｚ］がハイレベルに立ち上がるタイミングまでの時間長は、第１サブフィールド期間ＳＡ［ｚ］の時間長と等しい。また、第２入力パルスＤＢ［ｚ］がハイレベルに立ち上がるタイミングから、その後最初に第２リセット信号Ｖrst2がハイレベルになるタイミングまでの時間長（ｚ＝８の場合を除き、第１入力パルスＤＡ［ｚ＋１］がハイレベルに立ち上がるまでの時間長）は、第２サブフィールド期間ＳＢ［ｚ］の時間長と等しい。
すなわち、各画素Ｐｘの第１サブフィールド期間ＳＡ［ｚ］及び第２サブフィールド期間ＳＢ［ｚ］の時間長は、第１入力パルスＤＡ［ｚ］及び第２入力パルスＤＢ［ｚ］により規定される。
【００５６】
図５（Ｃ）に示すように、Ｙクロック信号Ｃlyは、水平走査期間Ｈの２倍の周期を有するデューティー比が５０％の信号である。なお、図５（Ｃ）からも明らかなように、本実施形態において、単位期間Ｕは、水平走査期間ＨのＭ倍の時間長を有する。
但し、単位期間Ｕは、水平走査期間ＨのＭ倍よりも長い時間長を有する期間であってもよい。
【００５７】
走査線駆動回路２２は、第１入力パルスＤＡ［ｚ］及び第２入力パルスＤＢ［ｚ］を、Ｙクロック信号Ｃlyに基づいて、Ｙクロック信号Ｃlyの半周期分の幅（水平走査期間Ｈに相当する幅）に狭めるとともに水平走査期間Ｈずつ遅延させ、更に、遅延させた当該入力パルスをイネーブル信号（図示省略）に基づいて、水平走査期間Ｈの半分の幅に更に狭めることで、図５（Ｃ）に示すように、選択パルスＹＡ［ｚ］及びＹＢ［ｚ］を、走査信号Ｙ[１]〜Ｙ[Ｍ]として出力する（図５では、記載の都合上、一部の行についてのみ選択パルスＹＡ［ｚ］及びＹＢ［ｚ］の符号を図示している）。
図５（Ｃ）に示すように、選択パルスＹＡ［ｚ］は、各水平走査期間Ｈの前半においてハイレベルとなり、選択パルスＹＢ［ｚ］は、各水平走査期間Ｈの後半においてハイレベルとなるため、選択パルスＹＡ［ｚ］及びＹＢ［ｚ］が同時にハイレベルになることは無い。
【００５８】
なお、本実施形態では、制御信号Ｃtrに含まれる第１入力パルスＤＡ［ｚ］及びＤＢ［ｚ］は、水平走査期間Ｈの２倍のパルス幅を有するが、これは一例であり、第１入力パルスＤＡ［ｚ］及びＤＢ［ｚ］は、選択パルスＹＡ［ｚ］及びＹＢ［ｚ］と等しいパルス幅（水平走査期間Ｈの半分のパルス幅）を有する信号であってもよい。この場合、走査線駆動回路２２は、表示制御回路５１から供給される第１入力パルスＤＡ［ｚ］及びＤＢ［ｚ］を、Ｙクロック信号Ｃlyに基づいて水平走査期間Ｈずつ遅延させることで、選択パルスＹＡ［ｚ］及びＹＢ［ｚ］を出力すればよい。
【００５９】
第ｍ行の画素Ｐｘには、選択パルスＹＡ［ｚ］が走査信号Ｙ[ｍ]として第ｍ行の走査線３２に出力されるタイミングにおいて、当該画素Ｐｘが第１サブフィールド期間ＳＡ［ｚ］に表示すべき階調を指定するデータ信号ＶＤ[ｎ]が供給される。また、第ｍ行の画素Ｐｘには、選択パルスＹＢ［ｚ］が走査信号Ｙ[ｍ]として第ｍ行の走査線３２に出力されるタイミングにおいて、当該画素Ｐｘが第２サブフィールド期間ＳＢ［ｚ］に表示すべき階調を指定するデータ信号ＶＤ[ｎ]が供給される。
すなわち、第ｍ行の走査線３２に選択パルスＹＡ［ｚ］が出力されるタイミングで、第ｍ行の画素Ｐｘにおいて第１サブフィールド期間ＳＡ［ｚ］が開始され、第ｍ行の走査線３２に選択パルスＹＢ［ｚ］が出力されるタイミングで、第ｍ行の画素Ｐｘにおいて第２サブフィールド期間ＳＢ［ｚ］が開始される。
以下では、選択パルスＹＡ［ｚ］による各走査線３２の選択を、選択線Ｌａ［ｚ］で表現し、選択パルスＹＢ［ｚ］による各走査線３２の選択を、選択線Ｌｂ［ｚ］で表現する。
【００６０】
図６に、電気光学装置１の基準表示期間ＢＴ、各画素Ｐｘの表示期間Ｔ、及び、立体視用眼鏡６０のシャッターの開閉状態の関係を示す。
図６に示すように、選択線Ｌａ［１］〜Ｌａ［８］として表される、走査線駆動回路２２による走査線３２の選択を契機として、第１行〜第Ｍ行の画素Ｐｘ毎に第１サブフィールド期間ＳＡ［１］〜ＳＡ［８］が開始される。また、選択線Ｌｂ［１］〜Ｌｂ［８］として表される、走査線駆動回路２２による走査線３２の選択を契機として、第１行〜第Ｍ行の画素Ｐｘ毎に、第２サブフィールド期間ＳＢ［１］〜ＳＢ［８］が開始される。
すなわち、基準表示期間ＢＴの開始後（正確には、図５に示すように、基準表示期間ＢＴの開始から、水平走査期間Ｈの２倍の時間が経過後）に、第１行の画素Ｐｘについて表示期間Ｔが開始され、その後、１行毎に水平走査期間Ｈだけ遅れて、各行の画素Ｐｘの表示期間Ｔが順番に開始される。また、図示は省略するが、基準リセット期間ＢＲの開始後（正確には、基準リセット期間ＢＲの開始から、水平走査期間Ｈの２倍の時間が経過後）に、第１行の画素Ｐｘについてリセット期間Ｒが開始され、その後、１行毎に水平走査期間Ｈだけ遅れて、各行の画素Ｐｘのリセット期間Ｒが順番に開始される。
なお、本実施形態では、基準表示期間ＢＴの開始から、水平走査期間Ｈの２倍の時間が経過後に、第１行の画素Ｐｘの表示期間Ｔが開始されるが、これは一例であり、例えば、基準表示期間ＢＴの開始と同時に第１行の画素Ｐｘの表示期間Ｔを開始してもよいし、所定の間隔が経過後に開始してもよい。リセット期間Ｒについても同様である。
【００６１】
図６に示すように、眼鏡制御回路５２は、第１行の画素Ｐｘの表示期間Ｔ１において、左眼用シャッター６２を開状態に制御し、右眼用シャッター６４を閉状態に制御する。また、眼鏡制御回路５２は、第１行の画素Ｐｘの表示期間Ｔ２において、右眼用シャッター６４を開状態に制御し、左眼用シャッター６２を閉状態に制御する。
【００６２】
図７に、電気光学装置１の基準リセット期間ＢＲ、各画素Ｐｘのリセット期間Ｒ、及び、立体視用眼鏡６０のシャッターの開閉状態の関係を示す。
図７に示すように、選択線Ｌａ［１］〜Ｌａ［８］として表される、走査線駆動回路２２による走査線３２の選択を契機として、第１行〜第Ｍ行の画素Ｐｘ毎に、第１サブフィールド期間ＳＡ［１］〜ＳＡ［８］が開始される。すなわち、基準リセット期間ＢＲの開始後（正確には、基準リセット期間ＢＲの開始から、水平走査期間Ｈの２倍の時間が経過後）に、第１行の画素Ｐｘについてリセット期間Ｒが開始され、その後、１行毎に水平走査期間Ｈだけ遅れて、リセット期間Ｒが順番に開始される。
また、眼鏡制御回路５２は、第１行の画素Ｐｘのリセット期間Ｒ（Ｒ１、Ｒ２）において、左眼用シャッター６２及び右眼用シャッター６４の双方を閉状態に制御する。
【００６３】
なお、上述した左眼用シャッター６２及び右眼用シャッター６４が開状態に制御される期間は一例に過ぎない。
眼鏡制御回路５２は、第ｍ行の画素Ｐｘの表示期間Ｔ１の少なくとも一部を含む期間において、左眼用シャッター６２を開状態に制御し、第ｍ行の画素Ｐｘの表示期間Ｔ１において、右眼用シャッター６４を閉状態に制御し、第ｍ行の画素Ｐｘの表示期間Ｔ２の少なくとも一部を含む期間において、右眼用シャッター６４を開状態に制御し、第ｍ行の画素Ｐｘの表示期間Ｔ２において、左眼用シャッター６２を閉状態に制御するものであればよい。
例えば、第１行の画素Ｐｘの表示期間Ｔ（Ｔ１、Ｔ２）に加え、当該表示期間Ｔに後続する第１行の画素Ｐｘのリセット期間Ｒ（Ｒ２、Ｒ１）の単位期間Ｕ［１］において、シャッター（左眼用シャッター６２、右眼用シャッター６４）を開状態に制御してもよい。例えば、第１行の画素Ｐｘの表示期間Ｔ（Ｔ１、Ｔ２）のうち、単位期間Ｕ［２］〜Ｕ［８］においてのみ、シャッター（左眼用シャッター６２、右眼用シャッター６４）を開状態に制御し、第１行の画素Ｐｘの単位期間Ｕ［１］では、左眼用シャッター６２及び右眼用シャッター６４を閉状態に制御してもよい。また、例えば、基準表示期間（ＢＴ１、ＢＴ２）においてシャッター（左眼用シャッター６２、右眼用シャッター６４）を開状態に制御してもよい。
【００６４】
以上において説明したように、本実施形態では、表示期間Ｔを１６個のサブフィールド期間Ｓに区分し、第１制御期間Ｃ１に含まれる８個のサブフィールド期間Ｓをそれぞれ異なる時間長とするとともに、第２制御期間Ｃ２に含まれる８個のサブフィールド期間Ｓをそれぞれ異なる時間長とした。
このような態様で電気光学装置１を駆動することの利点を説明するために、まず、図２１に示す対比例に係る電気光学装置について説明する。
【００６５】
図２１は、対比例に係る電気光学装置が備える画素Ｐｘの動作について説明するための説明図である。図２１（Ａ）に示すように、対比例に係る電気光学装置は、表示期間Ｔを、互いに等しい時間長を有する１６個のサブフィールド期間Ｓｔ［１］〜Ｓｔ［１６］に区分する。また、対比例に係る電気光学装置は、表示期間Ｔを、互いに等しい時間長を有する第１制御期間Ｃ１と第２制御期間Ｃ２に区分する。そして、第１制御期間Ｃ１に含まれるサブフィールド期間Ｓｔ［１］〜Ｓｔ［８］において、画素Ｐｘに対して正極性のデータ信号ＶＤ[ｎ]を供給し、第２制御期間Ｃ２に含まれるサブフィールド期間Ｓｔ［９］〜Ｓｔ［１６］において、画素Ｐｘに対して負極性のデータ信号ＶＤ[ｎ]を供給する。
【００６６】
図２１（Ｂ）は、対比例に係る電気光学装置の画素Ｐｘに対して、ＳＦコードＣｄ１またはＣｄ２に基づくデータ信号ＶＤ[ｎ]が供給されるときに、当該画素Ｐｘが備える液晶素子ＣＬの透過率の経時的な変化の様子を例示した図である。
図２１（Ｂ）に示すように、ＳＦコードＣｄ１は、第１制御期間Ｃ１のうちサブフィールド期間Ｓｔ［１］及びＳｔ［５］において、画素Ｐｘをオンさせることを指定し、ＳＦコードＣｄ２は、第１制御期間Ｃ１のうちサブフィールド期間Ｓｔ［２］及びＳｔ［６］において、画素Ｐｘをオンさせることを指定する内容のＳＦコードＣｄである。なお、対比例に係る電気光学装置においても、ＳＦコードＣｄの示す値は、区分時刻Ｔｃを境界として対称であることを仮定する。そのため、この図では、第１制御期間Ｃ１にのみ注目して説明する。
【００６７】
図２１（Ｂ）に示すように、画素Ｐｘに対して、ＳＦコードＣｄ１に基づくデータ信号ＶＤ[ｎ]が供給される場合において、サブフィールド期間Ｓｔ［１］に画素Ｐｘがオンするときの当該画素Ｐｘが備える液晶素子ＣＬの透過率の変化は、曲線ｇｔ［１］で表される。また、画素Ｐｘに対して、ＳＦコードＣｄ１に基づくデータ信号ＶＤ[ｎ]が供給される場合において、サブフィールド期間Ｓｔ［５］に画素Ｐｘがオンするときの当該画素Ｐｘが備える液晶素子ＣＬの透過率の変化は、曲線ｇｔ［５］で表される。
これらの場合、サブフィールド期間Ｓｔ［１］及びＳｔ［５］の開始時における液晶素子ＣＬの透過率は等しく（この例では０％）、また、これらの２つのサブフィールド期間Ｓｔにおいて供給されるデータ信号ＶＤ[ｎ]の電位も等しく（例えば、最大階調を指定する電位）、更に、これら２つのサブフィールド期間Ｓｔの時間長も等しい。
よって、曲線ｇｔ［１］及びｇｔ［５］は、等しい形状を有するものと看做すことができる。
【００６８】
また、画素Ｐｘに対して、ＳＦコードＣｄ２に基づくデータ信号ＶＤ[ｎ]が供給される場合において、サブフィールド期間Ｓｔ［２］及びＳｔ［６］に画素Ｐｘをオンするときの当該画素Ｐｘが備える液晶素子ＣＬの透過率の変化は、それぞれ、曲線ｇｔ［２］及びｇｔ［６］で表される。
図２１（Ｂ）からも明らかなように、画素Ｐｘに対して、ＳＦコードＣｄ２に基づくデータ信号ＶＤ[ｎ]を供給する場合は、ＳＦコードＣｄ１に基づくデータ信号ＶＤ[ｎ]を供給する場合と比較すると、単に、画素Ｐｘにオンを指定するタイミングを単位期間Ｕ分だけ遅らせたものに過ぎない。よって、曲線ｇｔ［２］及びｇｔ［６］は、曲線ｇｔ［１］及びｇｔ［５］と等しい形状を有するものと看做すことができる。つまり、表示期間Ｔにおいて、画素ＰｘがＳＦコードＣｄ１に基づいて表示する階調と、ＳＦコードＣｄ２に基づいて表示する階調とは、等しいものと看做すことができる。
このように、対比例に係る電気光学装置では、図２１（Ｂ）に示す例のように、異なる値（異なるビット配列）を有するＳＦコードＣｄに基づいて画素Ｐｘの階調を指定する場合であっても、画素Ｐｘにオンを指定するサブフィールド期間Ｓｔの個数が等しければ、画素Ｐｘが表示する階調は等しくなる場合が存在する。すなわち、対比例に係る電気光学装置は、第１制御期間Ｃ１に８個のサブフィールド期間Ｓｔを設け、ＳＦコードＣｄが「２８（＝２５６）」種類の値をとることができる場合であっても、画素Ｐｘが実際に表示できる階調は、２５６種類よりも少ないものとなる。
【００６９】
これに対して、本実施形態に係る電気光学装置１は、第１制御期間Ｃ１（または第２制御期間Ｃ２）に含まれる８個のサブフィールド期間Ｓを、それぞれ異なる時間長に設定する。つまり、本実施形態において、第１制御期間Ｃ１（または、第２制御期間Ｃ２）に含まれるサブフィールド期間Ｓの時間長の種類は、第１制御期間Ｃ１（または、第２制御期間Ｃ２）に含まれるサブフィールド期間Ｓの個数と等しい。このため、本実施形態に係る電気光学装置１は、ＳＦコードＣｄの示す値（ビット配列）が異なる場合には、画素Ｐｘが備える液晶素子ＣＬの透過率の変化の態様も異なるものとなり、その結果、表示期間Ｔにおいて画素Ｐｘが表示する階調も異なるものとすることができる。つまり、本実施形態では、ＳＦコードＣｄが「２８（＝２５６）」種類の値をとるため、画素Ｐｘが実際に表示できる階調も、２５６種類とすることが可能である。換言すれば、本実施形態は、サブフィールド期間Ｓの個数に対する、画素Ｐｘが表示可能な階調の種類を、最大化するものである。
よって、本実施形態は、第１制御期間Ｃ１（または、第２制御期間Ｃ２）において、互いに等しい時間長を有する２つのサブフィールド期間Ｓが１組でも含まれる場合と比較して、より多くの種類の階調を画素Ｐｘに表示させることが可能となる。
これにより、電気光学装置１が、フレーム期間Ｆにおいて左目用画像と右目用画像とを時分割で表示する場合等のように、高速での動作が要求されるため表示期間Ｔの時間長が短くなり、それゆえ、表示期間Ｔを多数のサブフィールド期間Ｓに区分できない場合であっても、多くの種類の階調を表示することが可能となる。
【００７０】
なお、本実施形態では、区分時刻Ｔｃを境界として、第１制御期間Ｃ１に含まれる８個のサブフィールド期間Ｓと、第２制御期間Ｃ２に含まれる８個のサブフィールド期間Ｓとが、時間軸上で対称となるように、表示期間Ｔを区分する。そして、第１制御期間Ｃ１において、画素Ｐｘに正極性のデータ信号ＶＤ[ｎ]を供給し、第２制御期間Ｃ２において、画素Ｐｘに負極性のデータ信号ＶＤ[ｎ]を供給する。
このため、本実施形態では、各表示期間Ｔにおいて、画素Ｐｘが正極性のデータ信号ＶＤ[ｎ]を保持している時間長と、負極性のデータ信号ＶＤ[ｎ]を保持している時間長と、を均等化することができる。
これにより、本実施形態では、画素Ｐｘに対する直流電圧の印加を抑制することができ、画素Ｐｘの備える液晶素子ＣＬにおいて、所謂「焼き付き」の発生を防止し、液晶素子ＣＬの劣化を最小限に留めることが可能となる。
さらには、本実施形態では、各画素Ｐｘに対して供給されるデータ信号ＶＤ[ｎ]の極性の反転が、各表示期間Ｔで完結する。そのため、データ信号ＶＤ[ｎ]の極性を反転させる場合であって、同極性のデータ信号ＶＤ[ｎ]の印加時間が長くなる場合に、当該極性の反転が観察者に視認される現象（所謂「フリッカ」）の発生も抑制することができる。
【００７１】
＜Ｂ．第２実施形態＞  
上述した第１実施形態では、図３に示したように、各リセット期間Ｒが有する各単位期間Ｕ［ｚ］は、第１サブフィールド期間ＳＡ［ｚ］のみを有し、第２サブフィールド期間ＳＢ［ｚ］を含まなかった。つまり、第１実施形態において、各リセット期間Ｒが有する各単位期間Ｕは、複数のサブフィールド期間Ｓに分割されず、一のサブフィールド期間Ｓのみを有するものであった。
これに対して、第２実施形態に係る電気光学装置は、各リセット期間Ｒが有する８個の単位期間Ｕ［１］〜Ｕ［８］のうち一部の単位期間Ｕを、第１サブフィールド期間ＳＡ及び第２サブフィールド期間ＳＢに区分する点において、第１実施形態に係る電気光学装置１と相違する。
以下、図８及び図９を参照しつつ、第２実施形態に係る電気光学装置について説明する。なお、以下に示す実施形態及び変形例では、作用や機能が第１実施形態と同等である要素については、第１実施形態の説明で参照した符号を流用して各々の詳細な説明を適宜に省略する。
【００７２】
図８は、本実施形態に係る電気光学装置が備える各画素Ｐｘの動作期間を説明するための説明図である。
図８に示すように、本実施形態では、リセット期間Ｒに含まれる単位期間Ｕ［１］〜Ｕ［８］のうち、単位期間Ｕ［１］〜Ｕ［７］の各々が、第１サブフィールド期間ＳＡ［ｚ］及び第２サブフィールド期間ＳＢ［ｚ］に区分される。また、表示期間Ｔに含まれる単位期間Ｕ［１］〜Ｕ［８］のうち、単位期間Ｕ［１］〜Ｕ［７］の各々が、第１サブフィールド期間ＳＡ［ｚ］及び第２サブフィールド期間ＳＢ［ｚ］に区分される。なお、表示期間Ｔ及びリセット期間Ｒのそれぞれにおいて、単位期間Ｕ［８］は、第１サブフィールド期間ＳＡ［８］のみを有する。
すなわち、本実施形態に係る電気光学装置の画素Ｐｘの動作期間は、表示期間Ｔにおいて第２サブフィールド期間ＳＢ［８］が設けられない点、及び、リセット期間Ｒにおいて第２サブフィールド期間ＳＢ［１］〜ＳＢ［７］が設けられる点、の２つの点において、図３に示す、第１実施形態に係る電気光学装置１の画素Ｐｘの動作期間と相違する。
【００７３】
図９は、本実施形態に係る電気光学装置が備える各画素Ｐｘの動作期間と、本実施形態に係る電気光学装置の動作期間との関係を示すタイミングチャートである。この図に示すように、本実施形態における、基準表示期間ＢＴと表示期間Ｔとの関係、及び、基準リセット期間ＢＲとリセット期間Ｒとの関係は、第１実施形態と同様である。
【００７４】
なお、本実施形態において、表示期間Ｔ及びリセット期間Ｒに、第２サブフィールド期間ＳＢ［８］を設けない理由は以下のとおりである。
すなわち、図９において、破線で示したように、仮に、表示期間Ｔ及びリセット期間Ｒに第２サブフィールド期間ＳＢ［８］を設ける場合、例えば時刻Ｔｕ８において、第ｍ１行の画素Ｐｘが選択線Ｌｂ［１］により選択されるのと同時に、第ｍ３行の画素Ｐｘが選択線Ｌａ［８］により選択される（なお、この場合も、図５において説明したとおり、第ｍ２行の画素Ｐｘは、第ｍ１行の画素Ｐｘ及び第ｍ３行の画素Ｐｘとは異なるタイミングで選択される）。しかし、データ線駆動回路２４は、第ｍ１行の画素Ｐｘに対して、選択線Ｌｂ［１］による選択に対応して供給すべきデータ信号ＶＤ[ｎ]を供給することと、第ｍ３行の画素Ｐｘに対して、選択線Ｌｂ［８］による選択に対応して供給すべきデータ信号ＶＤ[ｎ]を供給することを、同時に実行することはできない。そのため、本実施形態では、表示期間Ｔ及びリセット期間Ｒにおいて、第２サブフィールド期間ＳＢ［８］を設けないこととした。
【００７５】
なお、本実施形態においても、第１実施形態と同様に、データ線駆動回路２４は、画素Ｐｘに対して、表示期間Ｔの単位期間Ｕ［１］〜Ｕ［４］からなる第１制御期間Ｃ１において、正極性のデータ信号ＶＤ[ｎ]を供給し、表示期間Ｔの単位期間Ｕ［５］〜Ｕ［８］からなる第２制御期間Ｃ２において、負極性のデータ信号ＶＤ[ｎ]を供給する。本実施形態では、第２サブフィールド期間ＳＢ［８］を設けないため、厳密には、表示期間Ｔにおいて画素Ｐｘに供給されるデータ信号ＶＤ[ｎ]の極性バランスは崩れる。
しかし、表示期間Ｔのうち、最初の単位期間Ｕ［１］及び最後の単位期間Ｕ［８］を除く単位期間Ｕ［２］〜Ｕ［７］（「中間期間」の一例）について着目する場合、第１制御期間Ｃ１のうち中間期間に含まれる６個のサブフィールド期間Ｓと、第２制御期間Ｃ２のうち中間期間に含まれる６個のサブフィールド期間Ｓは、区分時刻Ｔｃを境界として時間軸上で対称となる。また、第２サブフィールド期間ＳＢ［８］は、第２サブフィールド期間ＳＢ［１］〜ＳＢ［８］の中で最も時間長の短い期間にすぎず、第２サブフィールド期間ＳＢ［８］の有無が、画素Ｐｘに供給されるデータ信号ＶＤ[ｎ]の極性バランスに与える影響は小さい。
このため、本実施形態のように、第２サブフィールド期間ＳＢ［８］を設けない場合であっても、実質的には、各表示期間Ｔにおいて、画素Ｐｘが正極性のデータ信号ＶＤ[ｎ]を保持している時間長と、負極性のデータ信号ＶＤ[ｎ]を保持している時間長とが等しいと看做すことができる。よって、画素Ｐｘに対する直流電圧の印加を抑制することができ、画素Ｐｘの備える液晶素子ＣＬにおいて、「焼き付き」が発生することを防止できる。
【００７６】
なお、本実施形態では、表示期間Ｔ及びリセット期間Ｒにおいて、第２サブフィールド期間ＳＢ［８］を設けないこととしているが、本発明はこのような態様に限定されるものではない。
例えば、第２サブフィールド期間ＳＢ［８］を設けない代わりに、第２サブフィールド期間ＳＢ［１］を設けないこととしてもよい。この場合、表示期間Ｔ及びリセット期間Ｒにおいて、単位期間Ｕ［１］は、第１サブフィールド期間ＳＡ［１］のみを有し、単位期間Ｕ［２］〜Ｕ［８］は、第１サブフィールド期間ＳＡ［２］〜ＳＡ［８］及び第２サブフィールド期間ＳＢ［２］〜ＳＢ［８］を有することになる。
【００７７】
＜Ｃ．変形例＞  
以上の各形態は多様に変形され得る。具体的な変形の態様を以下に例示する。以下の例示から任意に選択された２以上の態様は、相互に矛盾しない範囲内で適宜に併合され得る。
【００７８】
＜変形例１＞
上述した実施形態において、表示期間Ｔ及びリセット期間Ｒは、等しい時間長を有しているが、異なる時間長であってもよい。リセット期間Ｒは、単位期間Ｕの時間長以上の時間長を有していればよい。
図１０は、本変形例に係る電気光学装置の動作期間を示すタイミングチャートである。この図に示すように、本変形例では、リセット期間Ｒを１個の単位期間Ｕから構成する。
電気光学装置が、左目用画像と右目用画像とを時分割で表示する場合、表示期間Ｔ１において、表示部３０に右目用画像が表示されず、且つ、表示期間Ｔ２において、表示部３０に左目用画像が表示されないように制御する必要がある。本変形例に係る電気光学装置によれば、基準リセット期間ＢＲ（または、第１行の画素Ｐｘのリセット期間Ｒ）において第１行から第Ｍ行の全ての画素Ｐｘに対して所定のリセット電位をデータ信号ＶＤ[ｎ]として供給することができるため、左目用画像と右目用画像との混在を防止することができる。
【００７９】
＜変形例２＞
上述した実施形態及び変形例では、電気光学装置は、左目用画像と右目用画像とを時分割で表示することで、立体視画像（３Ｄ画像）を表示するものであるが、本発明はこのような態様に限定されるものではなく、平面視画像（２Ｄ画像）を表示するものであってもよい。
この場合、電気光学装置は、立体視用眼鏡６０を備えず、電気光学パネル１０及び制御部５０を備えるものであればよい。また、制御部５０は、眼鏡制御回路５２を備えず、表示制御回路５１及びＬＵＴ５３を備えるものであればよい。また、電気光学装置は、立体視画像を表示する表示モードと、平面視画像を表示する表示モードとを、切り替え可能なものであってもよい。
【００８０】
図１１は、本変形例に係る電気光学装置が備える画素Ｐｘの動作期間を説明するための説明図である。この図に示すように、本変形例に係る画素Ｐｘの動作期間は、複数のフレーム期間Ｆからなり、各フレーム期間Ｆは、４つの表示期間Ｔに区分される。但し、この図は電気光学装置が平面視画像を表示する場合の画素Ｐｘの動作期間の一例であり、各フレーム期間Ｆは、１以上の表示期間Ｔを含めばよく、表示期間Ｔ以外に任意の時間長を有するリセット期間Ｒを有するものであってもよい。
図１１に示すように、各表示期間Ｔは、単位期間Ｕ［１］〜Ｕ［８］の８個の単位期間Ｕに区分される。単位期間Ｕ［１］〜Ｕ［７］は、それぞれ、第１サブフィールド期間ＳＡ及び第２サブフィールド期間ＳＢに区分される。単位期間Ｕ［８］には、第２サブフィールド期間ＳＢ［８］は設けられず、第１サブフィールド期間ＳＡ［８］のみが設けられる。
【００８１】
図１２は、本変形例に係る電気光学装置が備える画素Ｐｘの動作期間と、本変形例に係る電気光学装置の動作期間との関係を説明するためのタイミングチャートである。本変形例に係る電気光学装置の動作期間は、複数の基準表示期間ＢＴを含む。本変形例における、基準表示期間ＢＴと表示期間Ｔとの関係は、第１実施形態と同様である。
本変形例では、各表示期間Ｔに、第２サブフィールド期間ＳＢ［８］を設けない。
このため、図１２に示すように、例えば時刻Ｔｕ８において、第ｍ１行の画素Ｐｘが選択線Ｌｂ［１］により選択されるのと同時に、第ｍ３行の画素Ｐｘが選択線Ｌａ［８］により選択されることを防ぐことができる。
【００８２】
＜変形例３＞
上述した実施形態及び変形例では、表示期間Ｔに含まれる複数の単位期間Ｕのうちの一部または全部を、１個の第１サブフィールド期間ＳＡと、１個の第２サブフィールド期間ＳＢとからなる、２個のサブフィールド期間Ｓに区分するものであるが、本発明はこのような態様に限定されるものではなく、Ｐ個（Ｐは１以上の自然数）の第１サブフィールド期間ＳＡと、Ｑ個（Ｑは１以上の自然数）の第２サブフィールド期間ＳＢと、に区分するものであればよい。
この場合、走査線駆動回路２２は、水平走査期間Ｈを、互いに等しい時間長を有する（Ｐ＋Ｑ）個の期間に区分し、各水平走査期間Ｈを構成する（Ｐ＋Ｑ）個の期間のそれぞれにおいて、Ｐ個の選択パルスＹＡ［ｚ］、または、Ｑ個の選択パルスＹＢ［ｚ］のうち、何れか一のパルスをハイレベルとすればよい。
【００８３】
図１３は、Ｐ＝２であってＱ＝１の場合、つまり、各単位期間Ｕ［ｚ］が、２個の第１サブフィールド期間ＳＡ１［ｚ］及びＳＡ２［ｚ］と、１個の第２サブフィールド期間ＳＢ［ｚ］と、に区分される場合を例示している。
第１サブフィールド期間ＳＡ１［ｚ］は、選択線Ｌａ１［ｚ］により表される走査線３２の選択により、単位期間Ｕ［ｚ］の開始と同時に開始される。すなわち、αを、１≦α≦７を満たす自然数としたときに、第１サブフィールド期間ＳＡ１［α］の開始時刻から、第１サブフィールド期間ＳＡ１［α＋１］の開始時刻までの時間長は、単位期間Ｕ［ｚ］の時間長と等しい。
第１サブフィールド期間ＳＡ２［ｚ］は、選択線Ｌａ２［ｚ］により表される走査線３２の選択により、単位期間Ｕ［ｚ］の開示時刻及び終了時刻の中間の時刻において開始される。すなわち、第１サブフィールド期間ＳＡ２［α］の開始時刻から、第１サブフィールド期間ＳＡ２［α＋１］の開始時刻までの時間長は、単位期間Ｕ［ｚ］の時間長と等しい。
第２サブフィールド期間ＳＢ［ｚ］は、第２サブフィールド期間ＳＢ［α］の開始時刻から、第２サブフィールド期間ＳＢ［α＋１］の開始時刻までの時間長が、単位期間Ｕ［ｚ］の時間長に比べて長くなるように設けられる。より具体的には、第２サブフィールド期間ＳＢ［ｚ］は、第１制御期間Ｃ１（つまり、単位期間Ｕ［１］〜Ｕ［４］）では、第１サブフィールド期間ＳＡ１［ｚ］の終了後に開始され、第１サブフィールド期間ＳＡ２［ｚ］の開始と同時に終了するように設けられ、一方で、第２制御期間Ｃ２（つまり、単位期間Ｕ［５］〜Ｕ［８］）では、第１サブフィールド期間ＳＡ２［ｚ］の終了後に開始され、単位期間Ｕ［ｚ］の終了と同時に終了するように設けられる。
また、表示期間Ｔに含まれる２４個のサブフィールド期間Ｓは、区分時刻Ｔｃを境界として時間軸上で対称となるように設けられる。
【００８４】
図１３に示す例では、表示期間Ｔは、２４個のサブフィールド期間Ｓに区分され、第１制御期間Ｃ１（または第２制御期間Ｃ２）に含まれる１２個のサブフィールド期間Ｓは、９種類の時間長を有する。このため、上述した実施形態及び変形例に比べて、多くの種類の階調を画素Ｐｘに表示させることができる。
また、表示期間Ｔに含まれる２４個のサブフィールド期間Ｓは、区分時刻Ｔｃを境界として時間軸上で対称となるため、画素Ｐｘに対する直流電圧の印加を抑止することができる。
【００８５】
図１４は、Ｐ＝１であってＱ＝２の場合、つまり、各単位期間Ｕ［ｚ］が、１個の第１サブフィールド期間ＳＡ［ｚ］と、２個の第２サブフィールド期間ＳＢ１［ｚ］及びＳＢ２［ｚ］と、に区分される場合を例示している。
第１サブフィールド期間ＳＡ［ｚ］は、単位期間Ｕ［ｚ］の開始と同時に開始される。すなわち、αを、１≦α≦７を満たす自然数としたときに、第１サブフィールド期間ＳＡ１［α］の開始時刻から、第１サブフィールド期間ＳＡ１［α＋１］の開始時刻までの時間長は、単位期間Ｕ［ｚ］の時間長と等しい。
第２サブフィールド期間ＳＢ１［ｚ］は、第１サブフィールド期間ＳＡ［ｚ］に後続する期間であり、選択線Ｌｂ１［ｚ］により表される走査線３２の選択により開始される。また、第２サブフィールド期間ＳＢ１［ｚ］は、第２サブフィールド期間ＳＢ１［α］の開始時刻から、第２サブフィールド期間ＳＢ１［α＋１］の開始時刻までの時間長が、単位期間Ｕ［ｚ］の時間長に比べて長くなるように設けられる。
第２サブフィールド期間ＳＢ２［ｚ］は、第２サブフィールド期間ＳＢ１［ｚ］に後続する期間であり、選択線Ｌｂ２［ｚ］により表される走査線３２の選択により開始され、単位期間Ｕ［ｚ］の終了と同時に終了する。また、第２サブフィールド期間ＳＢ２［ｚ］は、第２サブフィールド期間ＳＢ２［α］の開始時刻から、第２サブフィールド期間ＳＢ２［α＋１］の開始時刻までの時間長が、単位期間Ｕ［ｚ］の時間長に比べて長く、且つ、第２サブフィールド期間ＳＢ１［α］の開始時刻から、第２サブフィールド期間ＳＢ１［α＋１］の開始時刻までの時間長よりも長くなるように設けられる。
【００８６】
そして、第１制御期間Ｃ１（または第２制御期間Ｃ２）に含まれる、１２個のサブフィールド期間Ｓは、それぞれ異なる時間長（１２種類の時間長）を有するように設けられる。すなわち、図１４に示す例では、第１制御期間Ｃ１（または第２制御期間Ｃ２）に含まれる、１２個のサブフィールド期間Ｓが、１２種類の時間長を有するため、図１３に示す場合と比較して、多くの種類の階調を画素Ｐｘに表示させることができる。
また、表示期間Ｔに含まれる２４個のサブフィールド期間Ｓは、区分時刻Ｔｃを境界として時間軸上で対称となるように設けられる。このため、画素Ｐｘに対する直流電圧の印加を抑制することができる。
【００８７】
＜変形例４＞
上述した実施形態及び変形例では、表示期間Ｔを単位期間Ｕ［１］〜Ｕ［８］の８個の単位期間Ｕに区分するが、本発明はこのような態様に限定されるものではなく、「２×Ｗ」個の単位期間Ｕ［１］〜Ｕ［２×Ｗ］に区分するものであればよい（Ｗは、１以上の自然数）。
具体的には、表示期間Ｔは、「２×Ｗ」個の単位期間Ｕに区分され、第１制御期間Ｃ１及び第２制御期間Ｃ２のそれぞれは、Ｗ個の単位期間Ｕを含むものであればよい。
例えば、第１実施形態のように、単位期間Ｕを２つのサブフィールド期間Ｓに区分する場合、第１制御期間Ｃ１及び第２制御期間Ｃ２のそれぞれは、「２×Ｗ」個のサブフィールド期間Ｓを含むことになる。この場合、電気光学装置は、「２の（２×Ｗ）乗」の種類の階調を、画素Ｐｘに表示させることができる。
【００８８】
＜変形例５＞
上述した実施形態及び変形例では、表示期間Ｔは偶数個の単位期間Ｕからなるが、本発明はこのような態様に限定されるものではなく、表示期間Ｔは奇数個の単位期間Ｕからなるものであってもよい。
図１５は、本変形例に係る電気光学装置が備える画素Ｐｘの動作期間のうち、表示期間Ｔを説明するための説明図である。
この図に示すように、本変形例では、表示期間Ｔを、単位期間Ｕ［１］〜Ｕ［７］の７個の単位期間Ｕに区分する。そして、本変形例では、時間軸上で表示期間Ｔの中央に位置する時刻（すなわち、単位期間Ｕ［４］の開示時刻及び終了時刻の中間の時刻）を、区分時刻Ｔｃとする。また、表示期間Ｔのうち、単位期間Ｕ［１］の開始から区分時刻Ｔｃまでの期間を、第１制御期間Ｃ１とし、区分時刻Ｔｃから単位期間Ｕ［７］の終了までの期間を、第２制御期間Ｃ２とする。
また、本変形例では、各単位期間Ｕ［ｚ］を、第１サブフィールド期間ＳＡ１［ｚ］及びＳＡ２［ｚ］、並びに、第２サブフィールド期間ＳＢ１［ｚ］及びＳＢ２［ｚ］からなる、４個のサブフィールド期間Ｓに区分する。
【００８９】
図１５に示すように、第１サブフィールド期間ＳＡ１［ｚ］は、単位期間Ｕ［ｚ］と同時に開始され、第１サブフィールド期間ＳＡ２［ｚ］は、単位期間Ｕ［ｚ］の開示時刻及び終了時刻の中間の時刻において開始される期間である。
また、第２サブフィールド期間ＳＢ１［ｚ］は、第１サブフィールド期間ＳＡ１［ｚ］に後続し、単位期間Ｕ［ｚ］の開示時刻及び終了時刻の中間の時刻において終了する期間であり、第２サブフィールド期間ＳＢ２［ｚ］は、第１サブフィールド期間ＳＡ２［ｚ］に後続し、単位期間Ｕ［ｚ］の終了と同時に終了する期間である。
【００９０】
また、第１制御期間Ｃ１に含まれる１４個のサブフィールド期間Ｓは、互いに異なる時間長を有し、第２制御期間Ｃ２に含まれる１４個のサブフィールド期間Ｓも、互いに異なる時間長を有するように設けられる。このため、本変形例に係る電気光学装置は、サブフィールド期間Ｓの個数に対する、画素Ｐｘが表示可能な階調の種類を最大化することができ、多くの種類の階調を表示することができる。
また、表示期間Ｔに含まれる２８個のサブフィールド期間Ｓは、区分時刻Ｔｃを境界として時間軸上で対称となるように設けられる。このため、画素Ｐｘに対する直流電圧の印加を抑制することができ、液晶素子ＣＬの劣化を最小限に留めることが可能となる。
【００９１】
なお、図１５に示す例では、各単位期間Ｕ［ｚ］を、４個のサブフィールド期間Ｓに区分したが、これは一例に過ぎず、２以上のサブフィールド期間Ｓに区分するものであればよい。
但し、表示期間Ｔに含まれる単位期間Ｕの個数が奇数個の場合には、表示期間Ｔに含まれる複数のサブフィールド期間Ｓを、区分時刻Ｔｃを境界として時間軸上で対称とするために、単位期間Ｕの開示時刻及び終了時刻の中間の時刻において開始される第１サブフィールド期間ＳＡ２を設けることが好ましい。
また、第１制御期間Ｃ１（または第２制御期間Ｃ２）に含まれる複数のサブフィールド期間Ｓを、互いに異なる時間長を有する期間とするために、各単位期間Ｕに少なくとも２以上の第２サブフィールド期間ＳＢを設けることが好ましい。
【００９２】
また、図１５に示す例では、表示期間Ｔを単位期間Ｕ［１］〜Ｕ［７］の７個の単位期間Ｕに区分するが、本発明はこのような態様に限定されるものではなく、「２×Ｗ＋１」個の単位期間Ｕ［１］〜Ｕ［２×Ｗ＋１］に区分するものであればよい（Ｗは、１以上の自然数）。
【００９３】
＜変形例６＞
上述した実施形態及び変形例では、表示期間Ｔに含まれる複数の単位期間Ｕのうち、最初の単位期間Ｕ及び最後の単位期間Ｕを除く中間期間において、当該中間期間に含まれる全ての単位期間Ｕを、第１サブフィールド期間ＳＡ及び第２サブフィールド期間ＳＢに区分したが、本発明はこのような態様に限定されるものではなく、中間期間に含まれる複数の単位期間Ｕのうち一部の単位期間Ｕについてのみ、第１サブフィールド期間ＳＡ及び第２サブフィールド期間ＳＢに区分するものであってもよい。
【００９４】
図１６は、本変形例に係る電気光学装置が備える画素Ｐｘの動作期間のうち、表示期間Ｔを説明するための説明図である。この図に示すように、本変形例において、表示期間Ｔは、単位期間Ｕ［１］〜Ｕ［７］の７個の単位期間Ｕに区分される。単位期間Ｕ［１］〜Ｕ［３］及びＵ［５］〜Ｕ［７］は、第１サブフィールド期間ＳＡ１［ｚ］及びＳＡ２［ｚ］、並びに、第２サブフィールド期間ＳＢ１［ｚ］及びＳＢ２［ｚ］からなる、４個のサブフィールド期間Ｓに区分される。また、単位期間Ｕ［４］は、第１サブフィールド期間ＳＡ１［４］及びＳＡ２［４］からなる、２個のサブフィールド期間Ｓに区分される。
【００９５】
図１６に示す例において、第１制御期間Ｃ１（または、第２制御期間Ｃ２）に含まれる、１３個のサブフィールド期間Ｓは、互いに異なる時間長を有するように設けられる。このため、本変形例に係る電気光学装置は、多くの種類の階調を表示することができる。
また、表示期間Ｔに含まれる２６個のサブフィールド期間Ｓは、区分時刻Ｔｃを境界として時間軸上で対称となるように設けられる。このため、画素Ｐｘに対する直流電圧の印加を抑制することができる。
【００９６】
＜変形例７＞
上述した実施形態及び変形例において、走査線駆動回路２２は、各水平走査期間Ｈを、互いに等しい時間長を有する（Ｐ＋Ｑ）個の期間に区分し、各水平走査期間Ｈを構成する（Ｐ＋Ｑ）個の期間のそれぞれにおいて、Ｐ個の選択パルスＹＡ［ｚ］及びＱ個の選択パルスＹＢ［ｚ］のうち、何れか一のパルスをハイレベルとすることで、異なる種類のパルスが同時にハイレベルになることを防止するものであるが、本発明はこのような態様に限定されるものではなく、水平走査期間Ｈ毎に、Ｐ個の選択パルスＹＡ［ｚ］及びＱ個の選択パルスＹＢ［ｚ］のうち、何れか一のパルスをハイレベルにするものであってもよい。
【００９７】
図１７は、本変形例に係る電気光学装置の動作を示すタイミングチャートである。
なお、本変形例では、第１実施形態と同様に、単位期間Ｕ［ｚ］を、第１サブフィールド期間ＳＡ［ｚ］及び第２サブフィールド期間ＳＢ［ｚ］からなる、２個のサブフィールド期間Ｓに区分する場合を想定する。
図１７に示すように、本変形例では、各単位期間Ｕ［ｚ］を、２Ｍ個の水平走査期間Ｈに区分する。そして、本変形例に係る走査線駆動回路２２は、第１入力パルスＤＡ［ｚ］及び第２入力パルスＤＢ［ｚ］を、Ｙクロック信号Ｃlyに基づいて、水平走査期間Ｈに相当する幅に狭めるとともに、１行毎に水平走査期間Ｈの２倍に相当する時間長ずつ遅延させることで、選択パルスＹＡ［ｚ］及びＹＢ［ｚ］を各走査線３２に出力する。
より具体的には、走査線駆動回路２２は、単位期間Ｕ［ｚ］における奇数番目の水平走査期間ＨＡにおいて、選択パルスＹＡ［ｚ］がハイレベルとなり、偶数番目の水平走査期間ＨＢにおいて、選択パルスＹＢ［ｚ］がハイレベルとなるように、走査信号Ｙ[１]〜Ｙ[Ｍ]を出力する。
なお、本変形例に係る表示制御回路５１は、第１入力パルスＤＡ［ｚ］及びＱ個の第２入力パルスＤＢ［ｚ］を、単位期間Ｕ［ｚ］における奇数番目の水平走査期間ＨＡにおいて、選択パルスＹＡ［ｚ］がハイレベルとなり、偶数番目の水平走査期間ＨＢにおいて、選択パルスＹＢ［ｚ］がハイレベルとなるようなタイミングで、走査線駆動回路２２に対して供給する。
【００９８】
なお、図１７では、各単位期間Ｕ［ｚ］を、１個の第１サブフィールド期間ＳＡ［ｚ］と、１個の第２サブフィールド期間ＳＢ［ｚ］と、に区分する場合を例示したが、例えば、変形例３において説明したように、各単位期間Ｕ［ｚ］は、Ｐ個の第１サブフィールド期間ＳＡ［ｚ］と、Ｑ個の第２サブフィールド期間ＳＢ［ｚ］と、に区分してもよい。
この場合、各単位期間Ｕ［ｚ］は、｛Ｍ×（Ｐ＋Ｑ）｝個の水平走査期間Ｈに区分される。そして、連続する（Ｐ＋Ｑ）個の水平走査期間Ｈをブロック期間として、ブロック期間を構成する（Ｐ＋Ｑ）個の水平走査期間Ｈを、Ｐ個の選択パルスＹＡ［ｚ］及びＱ個の選択パルスＹＢ［ｚ］に対して、１対１に割り当てる。そして、走査線駆動回路２２は、Ｐ個の第１入力パルスＤＡ［ｚ］及びＱ個の第２入力パルスＤＢ［ｚ］を、Ｙクロック信号Ｃlyに基づいて、水平走査期間Ｈに相当する幅に狭めるとともに、１行毎に水平走査期間Ｈの（Ｐ＋Ｑ）倍に相当する時間長ずつ遅延させることで、Ｐ個の選択パルスＹＡ［ｚ］及びＱ個の選択パルスＹＢ［ｚ］が、割り当てられた水平走査期間Ｈにおいてハイレベルとなるように、走査信号Ｙ[１]〜Ｙ[Ｍ]を出力する。
なお、この場合、表示制御回路５１は、第１入力パルスＤＡ［ｚ］及びＱ個の第２入力パルスＤＢ［ｚ］が、それぞれ割り当てられた水平走査期間Ｈにおいてハイレベルとなるようなタイミングで、走査線駆動回路２２に対して供給する。
【００９９】
＜変形例８＞
上述した実施形態及び変形例は、表示期間Ｔに含まれる複数のサブフィールド期間Ｓは、区分時刻Ｔｃを境界として時間軸上で対称になるように設けられるが、本発明はこのような態様に限定されるものではなく、複数のサブフィールド期間Ｓが、区分時刻Ｔｃを境界として時間軸上で対称とはならないものであってもよい。
表示期間Ｔに含まれる複数の単位期間Ｕのうちの一部または全部の単位期間Ｕの各々を、Ｐ個の第１サブフィールド期間ＳＡ及びＱ個の第２サブフィールド期間ＳＢに区分する場合、表示期間Ｔに含まれる複数のサブフィールド期間Ｓは、一の単位期間Ｕと、当該一の単位期間Ｕに後続する他の単位期間Ｕにおいて、以下の（１）及び（２）の２つの条件を充足するように設けられるものであればよい（なお、ここで、一の単位期間Ｕ及び他の単位期間Ｕは、いずれも、Ｐ個の第１サブフィールド期間ＳＡ及びＱ個の第２サブフィールド期間ＳＢに区分されている場合を想定する）。
（１）  一の単位期間におけるｐ番目の第１サブフィールド期間ＳＡ（ｐは、１≦ｐ≦Ｐを満たす自然数）の開始時刻から、他の単位期間におけるｐ番目の第１サブフィールド期間ＳＡの開始時刻までの時間長が、単位期間Ｕの時間長と等しいこと。
（２）  一の単位期間におけるｑ番目の第２サブフィールド期間ＳＢ（ｑは、１≦ｑ≦Ｑを満たす自然数）の開始時刻から、他の単位期間におけるｑ番目の第２サブフィールド期間ＳＢの開始時刻までの時間長が、単位期間Ｕの時間長よりも長いこと。
【０１００】
表示期間Ｔを、上記（１）及び（２）の双方の条件を充足するように、複数のサブフィールド期間Ｓに分割する場合、複数のサブフィールド期間Ｓのそれぞれの時間長を異なる時間長とすることができる。よって、この場合、多くの種類の階調を画素Ｐｘに表示させることができる。
【０１０１】
＜変形例９＞
上述した実施形態及び変形例において、画素Ｐｘに対応して設けられる画素回路４０は、液晶素子ＣＬを具備するが、有機発光ダイオード等の発光素子を具備するものであってもよい。
【０１０２】
＜Ｄ．応用例＞
以上の各形態に例示した電気光学装置１は、各種の電子機器に利用され得る。図１８から図２０には、電気光学装置１を採用した電子機器の具体的な形態が例示されている。
【０１０３】
図１８は、電気光学装置１を適用した投射型表示装置（３板式のプロジェクター）４０００の模式図である。投射型表示装置４０００は、相異なる表示色（赤色，緑色，青色）に対応する３個の電気光学装置１（１R，１G，１B）を含んで構成される。照明光学系４００１は、照明装置（光源）４００２からの出射光のうち赤色成分ｒを電気光学装置１Rに供給し、緑色成分ｇを電気光学装置１Gに供給し、青色成分ｂを電気光学装置１Bに供給する。各電気光学装置１は、照明光学系４００１から供給される各単色光を表示画像に応じて変調する光変調器（ライトバルブ）として機能する。投射光学系４００３は、各電気光学装置１からの出射光を合成して投射面４００４に投射する。観察者は、投射面４００４に投射された画像を視認する。
【０１０４】
図１９は、電気光学装置１を採用した可搬型のパーソナルコンピューターの斜視図である。パーソナルコンピューター２０００は、各種の画像を表示する電気光学装置１と、電源スイッチ２００１やキーボード２００２が設置された本体部２０１０とを具備する。
【０１０５】
図２０は、電気光学装置１を適用した携帯電話機の斜視図である。携帯電話機３０００は、複数の操作ボタン３００１及びスクロールボタン３００２と、各種の画像を表示する電気光学装置１とを備える。スクロールボタン３００２を操作することによって、電気光学装置１に表示される画面がスクロールされる。
【０１０６】
なお、本発明に係る電気光学装置が適用される電子機器としては、図１８から図２０に例示した機器のほか、携帯情報端末（ＰＤＡ：Personal Digital Assistants），デジタルスチルカメラ，テレビ，ビデオカメラ，カーナビゲーション装置，車載用の表示器（インパネ），電子手帳，電子ペーパー，電卓，ワードプロセッサ，ワークステーション，テレビ電話，ＰＯＳ端末，プリンター，スキャナー，複写機，ビデオプレーヤー，タッチパネルを備えた機器等などが挙げられる。
【符号の説明】
【０１０７】
１……電気光学装置、１０……電気光学パネル、２０……駆動回路、２２……走査線駆動回路、２４……データ線駆動回路、３０……表示部、３２……走査線、３４……データ線、４０……画素回路、５０……制御部、５１……表示制御回路、５２……眼鏡制御回路、５３……ＬＵＴ、６０……立体視用眼鏡、６２……左眼用シャッター、６４……右眼用シャッター、１００……制御駆動部、Ｐｘ……画素、ＣＬ……液晶素子。
【図１】
2015004735.tif 000003
【図２】
2015004735.tif 000004
【図３】
2015004735.tif 000005
【図４】
2015004735.tif 000006
【図５】
2015004735.tif 000007
【図６】
2015004735.tif 000008
【図７】
2015004735.tif 000009
【図８】
2015004735.tif 000010
【図９】
2015004735.tif 000011
【図１０】
2015004735.tif 000012
【図１１】
2015004735.tif 000013
【図１２】
2015004735.tif 000014
【図１３】
2015004735.tif 000015
【図１４】
2015004735.tif 000016
【図１５】
2015004735.tif 000017
【図１６】
2015004735.tif 000018
【図１７】
2015004735.tif 000019
【図１８】
2015004735.tif 000020
【図１９】
2015004735.tif 000021
【図２０】
2015004735.tif 000022
【図２１】
2015004735.tif 000023